(57)【特許請求の範囲】
【請求項１】
眼用レンズのカスタマイズシステムであって、
（ａ）コンピュータソフトウェアを利用するコンピュータガイダンスシステム（ＣＧＳ）と、
（ｂ）眼用レンズブランク（ＯＬＢ）と、
（ｃ）固定レンズ容器（ＳＬＣ）と、
（ｄ）レンズ位置識別子（ＬＰＩ）および位置決めシステムと、
（ｅ）パルスレーザ源（ＰＬＳ）と、
（ｆ）レーザステアリングスキャナ（ＬＳＳ）と、
（ｇ）集束顕微鏡対物レンズ（ＦＭＯ）とを含み、
ここで、前記眼用レンズブランク（ＯＬＢ）は、紫外線吸収剤（ＵＶＡ）が注入された透明な材料を含み、
前記眼用レンズブランク（ＯＬＢ）は、ブランクレンズ構造（ＢＬＳ）およびレンズ支持部（ＢＬＨ）を含み、
前記眼用レンズブランク（ＯＬＢ）は、前記固定レンズ容器（ＳＬＣ）内に保持され、
前記レンズ位置識別子（ＬＰＩ）は、前記固定レンズ容器（ＳＬＣ）内の前記眼用レンズブランク（ＯＬＢ）の配向を規定するように構成されており、
前記パルスレーザ源（ＰＬＳ）は、パルスレーザ放射（ＰＬＲ）出力を放出するように構成されたフェムト秒レーザ放射源を含み、
前記レーザステアリングスキャナ（ＬＳＳ）は、前記パルスレーザ放射（ＰＬＲ）出力を前記集束顕微鏡対物レンズ（ＦＭＯ）の入力領域に亘って供給するように構成され、
前記集束顕微鏡対物レンズ（ＦＭＯ）は、前記集束顕微鏡対物レンズ（ＦＭＯ）の前記入力領域に亘る前記パルスレーザ放射（ＰＬＲ）の供給を受け入れ、かつ集束レーザ放射（ＦＬＲ）出力を生成するように構成された開口数をさらに含み、
前記集束レーザ放射（ＦＬＲ）出力は、前記集束顕微鏡対物レンズ（ＦＭＯ）によって前記眼用レンズブランク（ＯＬＢ）に伝送され、
前記集束レーザ放射（ＦＬＲ）出力は、前記コンピュータガイダンスシステム（ＣＧＳ）によって規定され、かつ前記レンズ位置識別子（ＬＰＩ）によって規定されるレンズ位置に基づいて、前記眼用レンズブランク（ＯＬＢ）の特定の領域に伝送されて、前記眼用レンズブランク（ＯＬＢ）の内部領域の屈折率を変化させる、眼用レンズのカスタマイズシステム。
【請求項２】
前記眼用レンズブランク（ＯＬＢ）が、アクリル、シリコン、ポリ（メタクリル酸メチル）（ＰＭＭＡ）、およびＰＭＮＡ樹脂からなる群から選択される材料を含む、請求項１に記載の眼用レンズのカスタマイズシステム。
【請求項３】
前記眼用レンズブランク（ＯＬＢ）は、既知の度数（ＯＫＤ）を有する眼用レンズを含む、請求項１に記載の眼用レンズのカスタマイズシステム。
【請求項４】
前記固定レンズ容器（ＳＬＣ）が、１．０５から１．６５の範囲の屈折率を有する材料を含む、請求項１に記載の眼用レンズのカスタマイズシステム。
【請求項５】
前記固定レンズ容器（ＳＬＣ）が、透明材料または着色材料を含む、請求項１に記載の眼用レンズのカスタマイズシステム。
【請求項６】
前記固定レンズ容器（ＳＬＣ）は、紫外線（ＵＶ）放射に対して透過的な材料の上部カバーを含む、請求項１に記載の眼用レンズのカスタマイズシステム。
【請求項７】
前記固定レンズ容器（ＳＬＣ）は、内部体積部を有する内部容器空間（ＩＣＶ）を含み、前記内部体積部は、前記内部容器空間（ＩＣＶ）内でレンズ充填材（ＬＦＭ）によって少なくとも部分的に覆われる前記眼用レンズブランク（ＯＬＢ）を格納するように構成され、前記レンズ充填材（ＬＦＭ）が、蒸留水、脱イオン水、および生理食塩水からなる群から選択される流体を含む、請求項１に記載の眼用レンズのカスタマイズシステム。
【請求項８】
前記パルスレーザ放射（ＰＬＲ）出力が０．００１マイクロジュールから１５．０マイクロジュールの範囲のエネルギーを有する、請求項１に記載の眼用レンズのカスタマイズシステム。
【請求項９】
前記パルスレーザ放射（ＰＬＲ）出力が０．１ＭＨｚから１００ＭＨｚの範囲の繰返し率を有する、請求項１に記載の眼用レンズのカスタマイズシステム。
【請求項１０】
前記パルスレーザ放射（ＰＬＲ）出力が１０フェムト秒から９５０フェムト秒の範囲のパルス幅を有する、請求項１に記載の眼用レンズのカスタマイズシステム。
【請求項１１】
前記集束レーザ放射（ＦＬＲ）出力が、１．０マイクロメートルから２０．０マイクロメートルの範囲のＸ−Ｙ方向のスポットサイズを有する、請求項１に記載の眼用レンズのカスタマイズシステム。
【請求項１２】
前記集束レーザ放射（ＦＬＲ）出力が、０．３０ナノメートルから２００．０ナノメートルの範囲のＺ方向のスポットサイズを有する、請求項１に記載の眼用レンズのカスタマイズシステム。
【請求項１３】
前記レーザステアリングスキャナ（ＬＳＳ）は、前記集束レーザ放射（ＦＬＲ）出力を前記眼用レンズブランク（ＯＬＢ）内に二次元パターンで供給するように構成されている、請求項１に記載の眼用レンズのカスタマイズシステム。
【請求項１４】
前記レーザステアリングスキャナ（ＬＳＳ）は、前記集束レーザ放射（ＦＬＲ）出力を前記眼用レンズブランク（ＯＬＢ）内に三次元パターンで供給するように構成されている、請求項１に記載の眼用レンズのカスタマイズシステム。
【請求項１５】
前記レーザステアリングスキャナ（ＬＳＳ）が、前記集束レーザ放射（ＦＬＲ）出力を前記眼用レンズブランク（ＯＬＢ）内に三次元パターンで供給するように構成され、前記パターンが前記眼用レンズブランク（ＯＬＢ）内に凸レンズを形成する、請求項１に記載の眼用レンズのカスタマイズシステム。
【請求項１６】
前記レーザステアリングスキャナ（ＬＳＳ）が、前記集束レーザ放射（ＦＬＲ）出力を前記眼用レンズブランク（ＯＬＢ）内に三次元パターンで供給するように構成され、前記パターンが前記眼用レンズブランク（ＯＬＢ）内に両凸レンズを形成する、請求項１に記載の眼用レンズのカスタマイズシステム。
【請求項１７】
前記レーザステアリングスキャナ（ＬＳＳ）が、前記集束レーザ放射（ＦＬＲ）出力を前記眼用レンズブランク（ＯＬＢ）内に三次元パターンで供給するように構成され、前記パターンが前記眼用レンズブランク（ＯＬＢ）内に凹レンズを形成する、請求項１に記載の眼用レンズのカスタマイズシステム。
【請求項１８】
前記レーザステアリングスキャナ（ＬＳＳ）が、前記集束レーザ放射（ＦＬＲ）出力を前記眼用レンズブランク（ＯＬＢ）内に三次元パターンで供給するように構成され、前記パターンが前記眼用レンズブランク（ＯＬＢ）内に両凹レンズを形成する、請求項１に記載の眼用レンズのカスタマイズシステム。
【請求項１９】
前記眼用レンズブランク（ＯＬＢ）が架橋ポリマー共重合体を含む、請求項１に記載の眼用レンズのカスタマイズシステム。
【請求項２０】
前記眼用レンズブランク（ＯＬＢ）が、架橋ポリマーアクリル重合体を含む、請求項１に記載の眼用レンズのカスタマイズシステム。
【請求項２１】
前記パルスレーザ源（ＰＬＳ）が、音響光学変調器（ＡＯＭ）およびグレースケール音響光学変調器（ＡＯＭ）からなる群から選択される光学変調器をさらに備える、請求項１に記載の眼用レンズのカスタマイズシステム。
【請求項２２】
前記レーザステアリングスキャナ（ＬＳＳ）が、前記集束レーザ放射（ＦＬＲ）出力を前記眼用レンズブランク（ＯＬＢ）内に二次元パターン又は三次元パターンで供給するように構成され、前記集束レーザ放射が前記二次元パターン又は前記三次元パターンに関連する体積部内に親水性の変化を生じさせ、前記親水性の変化によって前記二次元パターンまたは前記三次元パターンに関連する前記体積部の屈折率における対応する三次元的な変化が生じる、請求項１に記載の眼用レンズのカスタマイズシステム。
【請求項２３】
前記親水性の変化が、前記眼用レンズブランク（ＯＬＢ）内の屈折率の変化をもたらす、請求項２２に記載の眼用レンズのカスタマイズシステム。
【請求項２４】
前記屈折率の変化が０．０１より大きい、請求項２２に記載の眼用レンズのカスタマイズシステム。
【請求項２５】
前記二次元パターン又は前記三次元パターンは、前記眼用レンズブランク（ＯＬＢ）内の複数の層を含む、請求項２２に記載の眼用レンズのカスタマイズシステム。
【発明の詳細な説明】
【技術分野】
【０００１】
（著作権の一部放棄）
この特許出願のすべての資料は、米国およびその他の国の著作権法に基づく著作権保護の対象となる。本出願の最初の有効出願日から、この資料は未公開資料として保護される。
【０００２】
ただし、この資料を複製する許可は、著作権所有者が、米国特許商標庁の特許ファイルまたは記録に現れるような、特許文書または特許開示のファクシミリ複製に対して異議を持たない限り与えられるが、それ以外の場合は、すべての著作権を留保する。
【０００３】
本発明は、眼用レンズの視野のカスタマイズに関する。一例のみとして、本発明は、レンズバルク本体内部の所定の領域における光学レンズの屈折率を補正するためのレーザシステムおよび方法を教示する。本発明に適用される本明細書に記載の実験で使用される材料は、ポリマーアクリルレンズ材料（ＰＬＭ：ｐｏｌｙｍｅｒｉｃ  ａｃｒｙｌｉｃ  ｌｅｎｓ  ｍａｔｅｒｉａｌ）であるが、この材料選択は例示的であり、本発明を限定するものとして扱われるべきではない。
【背景技術】
【０００４】
発明者ルース・エヌエムエム・サーラー、スティーブン・キュー・ジョウ、およびジョセフ・エフ・ビルによる、親水性調整システムおよび方法に関する２０１５年５月５日に発行された特許文献１は、ポリマーベースのレンズの屈折率がパルスレーザ放射を使用して補正され得ることを教示している。
【０００５】
特許文献１に記載されているシステムは、概して、製造されたレンズが正確に形成され、適切に滅菌され、従って患者への挿入に対して安全であることを保証するために、管理された実験室環境の使用を必要とする。患者への生体外（ｅｘ  ｖｉｖｏ）挿入のために適切に準備されたレンズの視野のカスタマイズのための従来技術は提供されていない。
【先行技術文献】
【特許文献】
【０００６】
【特許文献１】米国特許第９０２３２５７号明細書
【発明の概要】
【発明が解決しようとする課題】
【０００７】
上記のような従来技術は、理論的には光学レンズを形成するために使用することができるが、以下の欠点がある。
・従来技術のレンズ製造システムは、患者の安全を確保するために必要なレンズ滅菌手順に対処していない。
【０００８】
・従来技術のレンズ製造システムは、レンズ材料の視野のカスタマイズに対処しない。
従来技術のレンズ製造システムは、レンズブランク材料の固定および配向に関する実用的な問題に対処していない。
【０００９】
・従来技術のレンズ製造システムは、封止を介してレンズの調整を許容するレンズホルダ表面の封止の光学的品質に関する実用的な問題に対処していない。
現在までのところ、従来技術はこれらの欠点に対して完全には対処していない。
【００１０】
従って、本発明の目的は、（特に）従来技術の欠点を回避し、
（１）患者の安全のためにレンズ滅菌の問題に対処する眼用レンズの視野のカスタマイズを可能にするシステムと方法を提供すること、
（２）眼用レンズ材料の視野のカスタマイズに対処するシステムおよび方法を提供すること、および
（３）視野のカスタマイズのためのレンズブランク材料の固定および配向に関する実用的な問題に対処するシステムおよび方法を提供することの目的に影響を与えることである。
【００１１】
これらの目的は、本発明の教示を限定するものと理解されるべきではないが、概して、これらの目的は、以下のセクションで説明する開示された発明によって部分的または全体的に達成される。当業者は、上記の目的の任意の組み合わせに影響を与えるように開示された本発明の態様を選択することができることは間違いないであろう。
【課題を解決するための手段】
【００１２】
本発明は、パルスレーザシステムを使用して、患者における後の使用のために生体外で眼用レンズをカスタマイズするシステム、方法、及びプロダクト・バイ・プロセスに関する。パルスレーザ放射は、コンピュータシステム及び制御型光学系によって制御され、局所的に視野測定された患者の特性に基づいて、汎用眼用レンズブランク（ＯＬＢ：ｏｐｈｔｈａｌｍｉｃ  ｌｅｎｓ  ｂｌａｎｋ）又は既知の度数（ＯＫＤ：ｏｐｈｔｈａｌｍｉｃ  ｌｅｎｓ  ｗｉｔｈ  ｋｎｏｗｎ  ｄｉｏｐｔｅｒ）を有する眼用レンズの内部特性を補正する。ＯＬＢは、「ブランク」が、実験室の設定で製造されるのではなく、視野において測定される様々な個々の患者パラメータに合わせてカスタマイズされ得るという点で共通している。
【００１３】
ＯＬＢは、典型的には、透明な材料（アクリル、シリコン、ポリ（メチルメタクリレート）（ＰＭＭＡ）、ＰＭＮＡ樹脂など）に、パルスレーザ放射（ＰＬＲ）の使用を介して屈折率のカスタマイズされた空間的補正（ＣＳＭ：ｃｕｓｔｏｍｉｚｅｄ  ｓｐａｔｉａｌ  ｍｏｄｉｆｉｃａｔｉｏｎ）を可能にする紫外線（ＵＶ）吸収化合物を注入したものからなる。パルスレーザビームの焦点スポットをレンズ材料の内部で移動させて、材料のパターンの変化を形成して、三次元レンズを作成する。異なるパターンは、異なるレンズ特性、例えば、レンズの非球面度、円柱度数、球面度数、または多焦点性の付加を調節する。複数のパターンまたは異なるパターンの統合を用いて、屈折率に対する２つ以上の変化を生じさせてもよく、例えば、非球面度、多焦点性および／または度数変化は、レンズの単一の処理で調節され得る。屈折率のＣＳＭは、患者のためにカスタマイズされた眼内レンズ（ＩＯＬ）の遠隔実験室での製作の必要性を排除する。
【００１４】
ＯＬＢは、ＯＬＢへのＰＬＲの適用に関してＯＬＢ支持部（ｈａｐｔｉｃｓ）およびＯＬＢレンズ構造の正確な物理的配向を提供するために、固定レンズ容器（ＳＬＣ：ｓｅｃｕｒｅｄ  ｌｅｎｓ  ｃｏｎｔａｉｎｅｒ）内に保持される。ＳＬＣは、ＯＬＢを覆うレンズ充填材（ＬＦＭ：ｌｅｎｓ  ｆｉｌｌｅｒ  ｍａｔｅｒｉａｌ）を含み、かつＯＬＢがＳＬＣ内部に配置された後、ＳＬＣ＋ＯＬＢの組み合わせの滅菌前に密封される。
【００１５】
一旦カスタマイズされると、滅菌されたＳＬＣ＋ＯＬＢの組み合わせは開封され、ＯＬＢが取り出され、カスタマイズされたＩＯＬまたはカスタマイズされたコンタクトレンズのいずれかとして患者に設置される。本発明は、特に、排他的ではないが、ＰＬＭ内に非常に薄く、微細構造のカスタマイズされた眼内レンズを作製する手順を説明するのに有用である。補正は、度数、球面又は円柱、非球面度を調節し、又は多焦点性を加えることができる。この補正は、高次の収差を調整することもできる。本発明は、同様の材料の既存の製品よりも薄い新規なレンズを作成することができる。
【図面の簡単な説明】
【００１６】
本発明によって提供される利点のより完全な理解のために、添付図面と共に以下の詳細な説明が参照されるべきである。
【図１】本発明の好ましい例示的なシステムの実施形態を示す例示的なシステムのブロック図である。
【図２】典型的な本発明の用途設定状況を示す、本発明の好ましい例示的なシステムの実施形態の例示的なシステムのブロック図である。
【図３】いくつかの好ましい本発明の実施形態を実施するために使用され得るシステム構成要素を示す詳細なシステムのブロック図である。
【図４】本発明のいくつかの好ましい実施形態で使用される例示的なＯＬＢ眼用レンズのカスタマイズ方法のフローチャートを示す図である。
【図５】本発明のいくつかの好ましい実施形態で使用される例示的なＯＬＢ交替方法のフローチャート（パート１／３）を示す図である。
【図６】本発明のいくつかの好ましい実施形態で使用される例示的なＯＬＢ交替方法のフローチャート（パート２／３）を示す図である。
【図７】本発明のいくつかの好ましい実施形態で使用される例示的なＯＬＢ交替方法のフローチャート（パート３／３）を示す図である。
【図８】本発明のいくつかの好ましい実施形態で使用される例示的なレンズ計算方法のフローチャートを示す図である。
【図９】カスタマイズ前の例示的なＯＬＢのＩＯＬ構造およびその後本発明によって教示されるカスタマイズ後に生成される凸／両凸／凹／両凹レンズ構造を示す図である。
【図１０】ベース取り付け固定具に設置された、汎用眼用レンズブランク（ＯＬＢ）を有する、好ましい例示的な発明の正方形ＳＬＣ固定具の実施形態の上面右向正面斜視図である。
【図１１】ベース取り付け固定具に設置された、汎用眼用レンズブランク（ＯＬＢ）を有する、好ましい例示的な発明の正方形ＳＬＣ固定具の実施形態の上面右向正面分解斜視図である。
【図１２】汎用眼用レンズブランク（ＯＬＢ）が設置された、好適な例示的な発明の正方形ＳＬＣの実施形態の上面右向正面分解斜視図である。
【図１３】汎用眼用レンズブランク（ＯＬＢ）が設置された、好適な例示的な発明の正方形ＳＬＣの実施形態の上面右向正面詳細斜視図である。
【図１４】汎用眼用レンズブランク（ＯＬＢ）、封止カバー、およびレーザアクセスウィンドウが設置された、好適な例示的な発明の正方形ＳＬＣの実施形態の上面右向正面詳細斜視正断面および右断面図である。
【図１５】汎用眼用レンズブランク（ＯＬＢ）が設置され、封止カバー／レーザアクセスウィンドウが除去された、好適な例示的な発明の正方形ＳＬＣの実施形態の上面右向正面詳細斜視正断面および右断面図である。
【図１６】本明細書に詳述されるようなレンズのカスタマイズをサポートするＯＬＢレンズ用の代替ＳＬＣ固定具の、上面右向正面斜視図、上面右向正面斜視正断面図、および上面右向正面詳細斜視右断面図である。
【図１７】汎用眼用レンズブランク（ＯＬＢ）が設置された、好ましい例示的な発明の正方形ＳＬＣ固定具の実施形態の上面図である。
【図１８】汎用眼用レンズブランク（ＯＬＢ）が設置された、好ましい例示的な発明の正方形ＳＬＣ固定具の実施形態の上面右向正面斜視図である。
【図１９】汎用眼用レンズブランク（ＯＬＢ）が設置された、好適な例示的な発明の正方形ＳＬＣ固定具の実施形態の上面右向正面斜視正断面図である。
【図２０】汎用眼用レンズブランク（ＯＬＢ）が設置された、好適な例示的な発明の正方形ＳＬＣ固定具の実施形態の上面右向正面斜視右断面図である。
【図２１】汎用眼用レンズブランク（ＯＬＢ）が取り外された、好ましい例示的な発明の正方形ＳＬＣ固定具の実施形態の上面図である。
【図２２】汎用眼用レンズブランク（ＯＬＢ）が取り外された、好適な例示的な発明の正方形ＳＬＣ固定具の実施形態の上面右向正面斜視図である。
【図２３】汎用眼用レンズブランク（ＯＬＢ）が取り外された、好適な例示的な発明の正方形ＳＬＣ固定具の実施形態の上面右向正面斜視正断面図である。
【図２４】汎用眼用レンズブランク（ＯＬＢ）が取り外された、好適な例示的な発明の正方形ＳＬＣ固定具の実施形態の上面右向正面斜視右断面図である。
【図２５】気密封止が設置された、好ましい例示的な発明の正方形ＳＬＣ眼用レンズブランク（ＯＬＢ）の実施形態の上面図である。
【図２６】気密封止が設置された、好ましい例示的な発明の正方形ＳＬＣ眼用レンズブランク（ＯＬＢ）の実施形態の上面右向正面斜視図である。
【図２７】気密封止が設置された、好ましい例示的な発明の正方形ＳＬＣ眼用レンズブランク（ＯＬＢ）の実施形態の上部正面斜視正断面図である。
【図２８】気密封止が設置された、好ましい例示的な発明である正方形ＳＬＣ眼用レンズブランク（ＯＬＢ）の実施形態の上面右向正面斜視右断面図である。
【図２９】気密封止が除去された、好ましい例示的な発明の正方形ＳＬＣ眼用レンズブランク（ＯＬＢ）の実施形態の上面図である。
【図３０】気密封止が除去された好適な例示的な発明の正方形ＳＬＣ眼用レンズブランク（ＯＬＢ）の実施形態の上面右向正面斜視図である。
【図３１】気密封止が除去された、好ましい例示的な発明である正方形ＳＬＣ眼用レンズブランク（ＯＬＢ）の実施形態の上面右向正面斜視正断面図である。
【図３２】気密封止が除去された、好ましい例示的な発明である正方形ＳＬＣ眼用レンズブランク（ＯＬＢ）の実施形態の上面右向正面斜視右断面図である。
【図３３】好ましい例示的な発明である正方形ＳＬＣ眼用レンズブランク（ＯＬＢ）の実施形態の上面右向正面分解斜視図である。
【図３４】好ましい例示的な発明である正方形ＳＬＣ眼用レンズブランク（ＯＬＢ）の実施形態の上面右向背面分解斜視図である。
【図３５】好適な例示的発明である正方形ＳＬＣ眼用レンズブランク（ＯＬＢ）の実施形態の上面左向背面分解斜視図である。
【図３６】好ましい例示的な発明である正方形ＳＬＣ眼用レンズブランク（ＯＬＢ）の実施形態の上面左向正面分解斜視図である。
【図３７】好ましい例示的な本発明の正方形ＳＬＣ固定具の実施形態の上面図である。
【図３８】好ましい例示的な発明の正方形ＳＬＣ固定具の実施形態の上面右向正面斜視図である。
【図３９】好ましい例示的な発明の正方形ＳＬＣ固定具の実施形態の上面右向正面斜視正断面図である。
【図４０】好ましい例示的な発明の正方形ＳＬＣ固定具の実施形態の上面右向正面斜視右断面図である。
【図４１】汎用眼用レンズブランク（ＯＬＢ）が設置された、好ましい例示的な発明の長方形カートリッジＳＬＣ固定具の実施形態の上面図である。
【図４２】汎用眼用レンズブランク（ＯＬＢ）が設置された、好ましい例示的な発明の長方形カートリッジＳＬＣ固定具の実施形態の上面右向正面斜視図である。
【図４３】汎用眼用レンズブランク（ＯＬＢ）が設置された、好ましい例示的な発明の長方形カートリッジＳＬＣ固定具の実施形態の上面右向正面斜視正断面図である。
【図４４】汎用眼用レンズブランク（ＯＬＢ）が設置された、好ましい例示的な発明の長方形カートリッジＳＬＣ固定具の実施形態の上面右向正面斜視右断面図である。
【図４５】汎用眼用レンズブランク（ＯＬＢ）が取り外された、好ましい例示的な発明の長方形カートリッジＳＬＣ固定具の実施形態の上面図である。
【図４６】汎用眼用レンズブランク（ＯＬＢ）が取り外された、好適な例示的な発明の長方形カートリッジＳＬＣ固定具の実施形態の上面右向正面斜視図である。
【図４７】汎用眼用レンズブランク（ＯＬＢ）が取り外された、好適な例示的な本発明の長方形カートリッジＳＬＣ固定具の実施形態の上面右向正面斜視正断面図である。
【図４８】汎用眼用レンズブランク（ＯＬＢ）が取り外された、好ましい例示的な発明の長方形カートリッジＳＬＣ固定具の実施形態の上面右向正面斜視右断面図である。
【図４９】気密封止が設置された、好ましい例示的な本発明の長方形カートリッジＳＬＣ眼用レンズブランク（ＯＬＢ）の実施形態の上面図である。
【図５０】気密封止が設置された、好ましい例示的な本発明の長方形カートリッジＳＬＣ眼用レンズブランク（ＯＬＢ）の実施形態の上面右向正面斜視図である。
【図５１】気密封止が設置された、好ましい例示的な本発明の長方形カートリッジＳＬＣ眼用レンズブランク（ＯＬＢ）の実施形態の上面右向正面斜視正断面図である。
【図５２】気密封止が設置された、好ましい例示的な発明の長方形カートリッジＳＬＣ眼用レンズブランク（ＯＬＢ）の実施形態の上面右向正面斜視右断面図である。
【図５３】気密封止が除去された、好ましい例示的な本発明の長方形カートリッジＳＬＣ眼用レンズブランク（ＯＬＢ）の実施形態の上面図である。
【図５４】気密封止が除去された、好ましい例示的な本発明の長方形カートリッジＳＬＣ眼用レンズブランク（ＯＬＢ）の実施形態の上面右向正面斜視図である。
【図５５】気密封止が除去された、好ましい例示的な本発明の長方形カートリッジＳＬＣ眼用レンズブランク（ＯＬＢ）の実施形態の上面右向正面斜視正断面図である。
【図５６】気密封止が除去された、好ましい例示的な本発明の長方形カートリッジＳＬＣ眼用レンズブランク（ＯＬＢ）の実施形態の上面右向正面斜視右断面図である。
【図５７】好ましい例示的な本発明の長方形カートリッジＳＬＣ眼用レンズブランク（ＯＬＢ）リテーナの実施形態の上面右向正面分解斜視図である。
【図５８】好ましい例示的な本発明の長方形カートリッジＳＬＣ眼用レンズブランク（ＯＬＢ）リテーナの実施形態の上面右向背面分解斜視図である。
【図５９】好ましい例示的な本発明の長方形カートリッジＳＬＣ眼用レンズブランク（ＯＬＢ）リテーナの実施形態の上面左向背面分解斜視図である。
【図６０】好ましい例示的な本発明の長方形カートリッジＳＬＣ眼用レンズブランク（ＯＬＢ）リテーナの実施形態の上面左向正面分解斜視図である。
【図６１】好ましい例示的な本発明の長方形カートリッジＳＬＣ固定具の実施形態の上面図である。
【図６２】好ましい例示的な本発明の長方形カートリッジＳＬＣ固定具の実施形態の上面右向正面斜視図である。
【図６３】好ましい例示的な本発明の長方形カートリッジＳＬＣ固定具の実施形態の上面右向正面斜視正断面図である。
【図６４】好ましい例示的な本発明の長方形カートリッジＳＬＣ固定具の実施形態の上面右向正面斜視右断面図である。
【図６５】汎用眼用レンズブランク（ＯＬＢ）が設置された、好ましい例示的な発明の円筒形カートリッジＳＬＣ固定具の実施形態の上面図である。
【図６６】汎用眼用レンズブランク（ＯＬＢ）が設置された、好ましい例示的な発明の円筒形カートリッジＳＬＣ固定具の実施形態の上面右向正面斜視図である。
【図６７】汎用眼用レンズブランク（ＯＬＢ）が設置された、好ましい例示的な発明の円筒形カートリッジＳＬＣ固定具の実施形態の上面右向正面斜視正断面図である。
【図６８】汎用眼用レンズブランク（ＯＬＢ）が設置された、好ましい例示的な発明の円筒形カートリッジＳＬＣ固定具の実施形態の上面右向正面斜視右断面図である。
【図６９】汎用眼用レンズブランク（ＯＬＢ）が取り外された、好ましい例示的な発明の円筒形カートリッジＳＬＣ固定具の実施形態の上面図である。
【図７０】汎用眼用レンズブランク（ＯＬＢ）が取り外された、好ましい例示的な発明の円筒形カートリッジＳＬＣ固定具の実施形態の上面右向正面斜視図である。
【図７１】汎用眼用レンズブランク（ＯＬＢ）が取り外された、好ましい例示的な発明の円筒形カートリッジＳＬＣ固定具の実施形態の上面右向正面斜視正断面図である。
【図７２】汎用眼用レンズブランク（ＯＬＢ）が取り外された、好ましい例示的な発明の円筒形カートリッジＳＬＣ固定具の実施形態の上面右向正面斜視右断面図である。
【図７３】気密封止が設置された、好ましい例示的な発明の円筒形カートリッジＳＬＣ眼用レンズブランク（ＯＬＢ）の実施形態の上面図である。
【図７４】気密封止が設置された、好ましい例示的な発明の円筒形カートリッジＳＬＣ眼用レンズブランク（ＯＬＢ）の実施形態の上面右向正面斜視図である。
【図７５】気密封止が設置された、好ましい例示的な発明の円筒形カートリッジＳＬＣ眼用レンズブランク（ＯＬＢ）の実施形態の上面右向正面斜視正断面図である。
【図７６】気密封止が設置された、好ましい例示的な発明の円筒形カートリッジＳＬＣ眼用レンズブランク（ＯＬＢ）の実施形態の上面右向正面斜視右断面図である。
【図７７】気密封止が除去された、好ましい例示的な発明の円筒形カートリッジＳＬＣ眼用レンズブランク（ＯＬＢ）の実施形態の上面図である。
【図７８】気密封止が除去された、好ましい例示的な発明の円筒形カートリッジＳＬＣ眼用レンズブランク（ＯＬＢ）の実施形態の上面右向正面斜視図である。
【図７９】気密封止が除去された、好ましい例示的な発明の円筒形カートリッジＳＬＣ眼用レンズブランク（ＯＬＢ）の実施形態の上面右向正面斜視正断面図である。
【図８０】気密封止が除去された、好ましい例示的な発明の円筒形カートリッジＳＬＣ眼用レンズブランク（ＯＬＢ）の実施形態の上面右向正面斜視右断面図である。
【図８１】好ましい例示的な本発明の円筒形カートリッジＳＬＣ眼用レンズブランク（ＯＬＢ）リテーナの実施形態の上面右向正面分解斜視図である。
【図８２】好ましい例示的な発明の円筒形カートリッジＳＬＣ眼用レンズブランク（ＯＬＢ）リテーナの実施形態の上面右向背面分解斜視図である。
【図８３】好ましい例示的な本発明の円筒形カートリッジＳＬＣ眼用レンズブランク（ＯＬＢ）リテーナの実施形態の上面左向背面分解斜視図である。
【図８４】好ましい例示的な本発明の円筒形カートリッジＳＬＣ眼用レンズブランク（ＯＬＢ）リテーナの実施形態の上面左向正面分解斜視図である。
【図８５】好ましい例示的な本発明の円筒形カートリッジＳＬＣ固定具の実施形態の上面図である。
【図８６】好ましい例示的な本発明の円筒形カートリッジＳＬＣ固定具の実施形態の上面右向正面斜視図である。
【図８７】好ましい例示的な本発明の円筒形カートリッジＳＬＣ固定具の実施形態の上面右向正面斜視正断面図である。
【図８８】好ましい例示的な本発明の円筒形カートリッジＳＬＣ固定具の実施形態の上面右向正面斜視右断面図である。
【図８９】好ましい例示的な本発明の円筒形カートリッジＳＬＣリテーナ封止キャップ（ＲＳＣ）の実施形態の上面図である。
【図９０】好ましい例示的な本発明の円筒形カートリッジＳＬＣリテーナ封止キャップ（ＲＳＣ）の実施形態の上面右向正面斜視図である。
【図９１】好ましい例示的な本発明の円筒形カートリッジＳＬＣリテーナ封止キャップ（ＲＳＣ）の実施形態の上面右向正面斜視正断面図である。
【図９２】好ましい例示的な本発明の円筒形カートリッジＳＬＣリテーナ封止キャップ（ＲＳＣ）の実施形態の上面右向正面斜視右断面図である。
【図９３】好ましい例示的な本発明の円筒形カートリッジＳＬＣ筐体キャップ（ＳＥＣ）の実施形態の上面図である。
【図９４】好ましい例示的な本発明の円筒形カートリッジＳＬＣ筐体キャップ（ＳＥＣ）の上面右向正面斜視図である。
【図９５】円筒形カートリッジＳＬＣ筐体キャップ（ＳＥＣ）の好ましい例示的な実施形態の上面右向正面斜視正断面図である。
【図９６】好ましい例示的な本発明の円筒形カートリッジＳＬＣ筐体キャップ（ＳＥＣ）の実施形態の上面右向正面斜視右断面図である。
【発明を実施するための形態】
【００１７】
本発明は多くの異なる形態の実施形態が可能であるが、本開示は本発明の原理の例示とみなされるべきものであり、本発明の広範な態様を図示された実施形態に限定することを意図するものではないことを理解しつつ、本発明が図面に示され、本明細書において本発明の詳細な好ましい実施形態で説明される。
【００１８】
本願の多数の革新的な教示は、本発明の好ましい実施形態を特に参照して説明されるが、これらの革新的な教示は、眼用レンズのカスタマイズシステム及び方法の特定の課題に有利に適用される。しかしながら、この実施形態は、本明細書の革新的な教示の多数の利点のある使用の一例にすぎないことを理解されたい。全体的に、本願明細書の記載は、特許請求の範囲に記載の発明を限定するものではない。さらに、いくつかの記載は、いくつかの発明の特徴に適用され得るが、他の特徴には適用され得ない。
【００１９】
材料（ＰＬＭ）（非限定的）
本発明は、ＰＬＭを含むが、ＰＬＭに限定されない広範囲の材料を、予測される実施形態の範囲内に組み込むことができ、その実施形態の多くは用途に特有であり得る。多くの好ましい実施形態において、ＰＬＭは、紫外線（ＵＶ）（通常１０〜５５０ｎｍの波長）吸収材料の使用を含んで、ＰＬＭによるパルスレーザエネルギーの吸収を増大させて、ＰＬＭの親水性の変化に影響を与え得る。本明細書で使用されるＰＬＭは、その使用を光学レンズを形成する材料に限定するものではない。具体的には、用語「ポリマー材料（ＰＭ：ｐｏｌｙｍｅｒｉｃ  ｍａｔｅｒｉａｌ）」は、本明細書において、必ずしも光学レンズの製造に限定されない本発明のシステム／方法／製品の用途を示すために使用され得る。従って、「ＰＭ」は、「ＰＬＭ」よりも発明概念のより広い用途をカバーし得るが、材料は同一であってもよい。従って、用語「ポリマーレンズ材料（ＰＬＭ：ｐｏｌｙｍｅｒｉｃ  ｌｅｎｓ  ｍａｔｅｒｉａｌ）」、「ポリマー材料（ＰＭ）」及びそれらの均等物は、この状況において可能な限り広い意味が与えられるべきである。
【００２０】
ＵＶ吸収剤（非限定的）
ＰＬＭは、ＰＬＭのＵＶ吸収を増強して、パルスレーザ放射で照射されたときのＰＬＭの親水性の変化を増強し得る多くの化学物質を含み得る。本発明は、この処理に影響を与えるために使用される化学物質の種類および量に制限を設けるものではなく、本明細書におけるこれらの化学物質の記載は、予測される化学物質の例示に過ぎない。
【００２１】
レーザ放射（非限定的）
本発明は、本明細書に記載されたＰＬＭ内の親水性の変化に影響を与えてレンズを形成するために、多種多様なレーザ放射を組み込み得る。従って、用語「レーザ放射」及びその等価物は、近赤外光レーザ放射に限定されるものではなく、この状況において可能な限り広い意味が与えられるべきである。
【００２２】
レーザ源（非限定的）
本発明は、開示された発明で使用される必要なパルスレーザ放射を提供する多種多様なレーザ放射源を組み込み得る。この状況において、「レーザ光源」という用語は、生成されたレーザ光の周波数を音波（通常、無線周波数で）を使用して回折およびシフトするために音響光学効果を使用する音響光学変調器（ＡＯＭ）も含み得る。この状況において、ＡＯＭがレーザ放射源ハードウェアに物理的に組み込まれているか否かにかかわらず、「レーザ光源」は、レーザ放射源及び任意選択的にＡＯＭを含むものとして包括的に定義することができる。従って、用語「レーザ光源」及びその均等物は、この状況において可能な限り広い意味が与えられるべきである。
【００２３】
音響光学変調器（ＡＯＭ）（非限定的）
様々な発明の実施形態は、本発明の状況内でレーザスキャナに向けられるレーザ放射パルスストリームの量をイネーブル／ディスエーブルにするか又は調節するスイッチとして機能する音響光学変調器（ＡＭＯ）を利用し得る。この状況において、ＡＯＭは、「グレースケール」変調を組み込み得、この変調では、スイッチング機能は、レーザ放射パルス列の一部をレーザスキャナにスイッチングするように動作して、親水性が補正される対象のＰＬＭに適用される有効レーザパワーの低減が可能である。従って、レーザ放射強度を変調するための「グレースケールＡＯＭ」構成要素の利用は、特に、本発明の範囲内で予測される。
【００２４】
本発明に示されるようなＡＯＭは、シャッタおよび可変減衰器として使用され、上述と同じ機能をシミュレートする別の均等な構成要素と置換することができる。
レーザスキャナ（非限定的）
本明細書に記載する好ましい本発明の実施形態におけるレーザスキャナの使用は、フライングスポットスキャナ（一般的なベクトルベースのモード）及びラスタスキャナ（一般的なラスターベースのモード）を含むがこれらに限定されない多くの異なる種類のスキャナを組み込み得る。スキャナは、レーザパルスを目標視野サイズ内の正しい位置に供給するために使用される。本発明は、この状況で使用し得るレーザスキャナのタイプに限定されない。
【００２５】
顕微鏡対物レンズ（非限定的）
本明細書における「顕微鏡対物レンズ」に対する参照は、これらの機能を達成するために「顕微鏡対物レンズまたは他の合焦デバイス」を同等に利用し得る。従って、「顕微鏡対物レンズ」という用語は、この適用状況内で可能な限り広く解釈されるべきである。
【００２６】
患者（非限定的）
本発明は、生物の眼から除去することなくレンズの屈折特性を矯正（ｃｏｒｒｅｃｔ）／補正する（ｍｏｄｉｆｙ）ために、生物の体内に置かれたレンズがその場で補正される状況に適用され得る。この状況において、「患者」という用語は、広く解釈されるべきであり、人間のみの適用に限定されるべきではない。
【００２７】
レンズ形状（非限定的）
本発明は、光学的な光の屈曲に影響を与えて、全体的なレンズ形成を構築するように形成された多種多様なレンズを組み込み得る。本発明の例示的な実施形態は、凸レンズ、両凸レンズ、凹レンズ、両凹レンズ、および平レンズ構造を構築するために使用されるものとして本明細書に記載されているが、これらの構造は、本発明で構築され得る多数のレンズ形状の単なる例示である。従って、用語「レンズ形成」及びその均等物は、この状況において可能な限り広い意味が与えられるべきである。
【００２８】
二次元（非限定的）
本発明は、ＰＬＭ内で二次元パターン構造の使用を組み込んで、技術的には三次元であるが、本明細書では二次元として呼ばれる回折格子および他の薄い平面構造を形成し得る。ＰＬＭ親水性の補正は、厳密には厚さゼロの平面内では生じないが、二次元という用語は、光軸に垂直なＸ−Ｙ平面を横切るＺ軸の焦点の再配置を必要としないＰＬＭ内で生じる構造の形成を指す。従って、ＰＬＭ屈折率の二次元補正は、レーザパルスに関する可変Ｚ軸焦点距離を含む非平面境界に沿って生じ得る。従って、用語「二次元の」及びその均等物は、この状況において可能な限り広い意味が与えられるべきである。
【００２９】
三次元（非限定的）
本発明は、複雑な光学構造を形成するために、ＰＬＭ内に三次元パターン構造の使用を組み込み得る。これらの三次元パターン構造およびそれらの関連する体積部は、（ｉ）レーザパルスによる照射によって補正された親水性および補正されていない親水性を有する介在性（ｉｎｔｅｒｓｔｉｔｉａｌ）ＰＬＭを有する多層を含むか、または（ｉｉ）レーザパルスによる照射によって可変的に補正された面積を有する介在性ＰＬＭを有する単一層を含み得る。従って、三次元構造は、未補正層またはわずかに補正された層を有する非補正領域、または異なる補正を含む複数の層を組み込んで、結果的に屈折率変化を生じさせ得る。従って、用語「三次元」及びその均等物は、この状況において可能な限り広い意味が与えられるべきである。
【００３０】
眼内レンズ（非限定的）
本発明は、広範囲の材料を組み込んでいる動的に調整可能な光学レンズの構成に有利に適用することができる。光学レンズ内に多種多様な材料を組み込むメカニズムは、本発明によって限定されない。従って、「眼内レンズ」および「光学レンズ（コンタクトレンズを含み得る）」という用語およびその均等物の構成の実施形態は、この状況において可能な限り広い意味が与えられるべきである。
【００３１】
全体的なシステムの説明
本発明は、全体的にフェムト秒レーザ源、ＡＯＭ、スキャナ、及び所定の領域にレーザパルスを伝送する対物レンズからなるレーザシステムを利用するものとして説明され得る。レーザ源は、好ましくは、約１０フェムト秒から９５０フェムト秒の範囲のパルス持続時間、４００ｎｍから１０６４ｎｍの範囲の波長、及び約０．１ＭＨｚから１００ＭＨｚの間の繰返し率を有する。パルスエネルギーは、典型的には、０．００１マイクロジュールから１５．０マイクロジュールの範囲である。レーザ源からの集束レーザ放射は、典型的には、１．０マイクロメートルから２０．０マイクロメートルの範囲のＸ−Ｙ方向のスポットサイズと、０．３０ナノメートルから２００．０ナノメートルの範囲のＺ方向のスポットサイズとを有する。
【００３２】
当業者であれば、これらのレーザパラメータは、上記の特定の範囲外になるように調整およびリバランスすることができるが、レンズ材料の対象領域に同じレベルのエネルギーが供給されるのを達成することができることを理解するであろう。例えば、Ｔｉ：サファイア発振器（カリフォルニア州、アーバイン、ニューポート（Ｎｅｗｐｏｒｔ）社によるＭａｉ  Ｔａｉまたはスペクトラフィジクス（Ｓｐｅｃｔｒａ  Ｐｈｙｓｉｃｓ）社からのスピリットワン（Ｓｐｉｒｉｔ  Ｏｎｅ）（高Ｑ））などのチューナブルレーザユニットは、約５２０〜１０４０ｎｍの固定または可変範囲内の可変波長または固定波長を提供することができる。他のレーザシステムは、等価範囲内の可変波長又は固定波長を提供することができる。
【００３３】
汎用レンズカスタマイズシステム（０１００）
本発明の好ましい例示的なシステムの実施形態は、全体的に図１（０１００）に示されており、眼用レンズブランク（ＯＬＢ）（０１０１）内の選択された領域（０１０２）内に屈折変化を生成するために、材料（０１０１）が照射される（０１１５）。このシステム（０１００）は、通常、パルスレーザ放射を生成するように構成されたレーザ源（０１１１）を組み込んでおり、パルスレーザ放射は、音響光学変調器（ＡＯＭ）（０１１２）によって制御／調整／変調／スイッチングされて、特定のエネルギーおよびパルスタイミング特性を有する所定のレーザパルス列が生成され得る。いくつかの発明の実施形態では、レーザ源（０１１１）及びＡＯＭ（０１１２）は単一のレーザ源モジュールに統合され得る。レーザ源（０１１１）／ＡＯＭ（０１１２）によって生成されたパルスレーザ放射は、次に、顕微鏡対物レンズ（０１１４）の入力領域を横断してＸ−Ｙ平面及びＺ平面内にレーザパルスを供給するように構成されたレーザスキャナ（０１１３）に伝送される。顕微鏡対物レンズ（０１１４）は、供給されたパルスレーザ放射を受け入れ、集束レーザ放射出力（０１１５）を生成するように構成された開口数（ｎｕｍｅｒｉｃａｌ  ａｐｅｒｔｕｒｅ）を含んでいる。集束レーザ放射出力（０１１５）は、顕微鏡対物レンズ（０１１４）を介して、ＯＬＢ（０１０１）の屈折率を変化させるべきブランクレンズ材料（ＯＬＢ）（０１０１）領域（０１０２）に伝送される。屈折補正ＯＬＢ領域（０１０２）の位置は、レーザスキャナ（０１１３）によっておよびサンプルのステージング／位置決めシステム（０１１６）によって規定されてもよく、レーザスキャナ（０１１５）は、ＯＬＢ（０１０１）を機械的に位置決めして、集束レーザパルスがＯＬＢ（０１０１）の所望の内部領域（０１０２）内に適切に局所化されることを可能にする。
【００３４】
このシステムは、コンピュータ可読媒体（０１２２）から読み取られたソフトウェアを実行するコンピュータ（０１２１）を組み込み、かつオペレータ（０１２４）がＯＬＢ（０１０１）内の屈折率変化（０１０２）の全動作を指示し得るグラフィカルユーザインタフェース（ＧＵＩ）（０１２３）を提供する、コンピュータガイダンスシステム（ＣＧＳ）（０１２０）としても知られるコンピュータ制御システムの制御下で最適に動作することができる。
【００３５】
システム／方法の適用状況の概要（０２００）
本発明の典型的な適用状況は、全体的に図２（０２００）に示されており、本発明は、患者のレンズを構成するために使用されるレンズカスタマイズシステム（０２１０）において具体化される。この屈折率調整システム（０２１０）は、典型的には、パルスレーザ出力を生成するレーザ源（０２１１）を含み、パルスレーザ出力は、レーザスキャナ（０２１３）を用いてＸ−Ｙ平面及びＺ平面に供給され、次いで顕微鏡対物レンズ（０２１４）（又は他の合焦デバイス）を用いてＺ平面に焦点合わせされる。この供給され集束されたパルスレーザ放射（０２１５）は、材料（ＯＬＢ）（０２０２）で構成された一部を有するレンズ構造（０２０１）内を透過する。このＯＬＢ（０２０２）は、ＯＬＢ構造（０２０２）内で二次元又は三次元パターン（０２０３）で照射され、屈折率が補正される。集束レーザパルス（０２１４）によって生成されるこの屈折率の変化は、二次元又は三次元パターン（０２０３）によって全体のレンズ構造（０２０１）内で光学レンズ機能が形成されるようにする。
【００３６】
この全体的なシステム／方法の構成に関連して、図に全体的に示されるように、レンズ構造（０２０１）が患者の眼内に外科的に移植される前に、ＯＬＢ（０２０２）が生体外で補正されて、レンズ構造（０２０１）が人間の眼（０２０５）内に組み込まれ（０２０４）得る。
【００３７】
記載のレンズカスタマイズシステム（０２１０）は、典型的には、コンピュータ可読媒体（０２２２）からの命令を実行するコンピュータシステム（０２２１）の制御下で動作する。このコンピュータ制御（０２２１）は、システムオペレータ（０２２４）が全体のシステムとインタフェースし、その動作を指示することを可能にするグラフィカルユーザインターフェース（０２２３）を最適に組み込んでいる。上述の生体内のレンズ形成の適用に関して、制御ソフトウェア（０２２２）は、患者の視覚における非理想性を決定するために自動化された患者の眼の検査を実行し（０２２５）、その検査から患者の視覚を改善するために必要な好ましい光学的矯正のマップを生成し（０２２６）、その後、患者の視覚を完全に矯正するために、患者のレンズ内のＯＬＢの屈折率を生体外で変化させるための自動化されたレーザパルス／位置制御手順を実行する（０２２７）ソフトウェアが実行する方法を組み込み得る。
【００３８】
システム／方法の適用状況の詳細（０３００）
好ましい本発明の適用状況のより詳細なシステム構成は、図３（０３００）において提供されており、コンピュータ可読媒体（０３２１、０３２２）から読み取られたソフトウェアの制御下で動作するコンピュータシステム（０３２０）が、全てのレンズ製造プロセス全体を制御および管理するために使用される。この適用状況では、通常、以下のコンポーネントがシステムを構成する。
【００３９】
・レーザ源（０３０１）は、所望の材料を処理するのに適した波長と、使用される対物レンズ（０３１０）によって提供される対象領域の屈折率を変化させるのに十分なパルス当たりのエネルギーとを有する。
【００４０】
・分散補償器（０３０２）は、ビームを事前に補償して，約１００ｆｓのパルス幅を可能にするために使用される。この機能がなければ、レンズのような光学媒体を通過するときにパルス幅が大きくなるので、対象におけるパルス幅はより大きくなる。パルス幅が大きく、より多くの熱が処理領域に発生すると、プロセスが少し不正確になり、処理時間が少し長くなる。従って、この機能は、任意選択的であるが、ＲＩＳ最適化の一部である。
【００４１】
・ビーム成形Ｉ（０３０３）ユニットは、ＡＯＭ仕様に適合するようにレーザビームの直径を補正するために使用することができる。これは、ビーム成形Ｉユニット後に追加の補正なしにレーザ源の交換をも可能にする。
【００４２】
・ＡＯＭ（０３０４）は、処理領域に向けられるパルス数およびパルス当たりのエネルギーを変調するために使用される。受信信号（通常０〜５Ｖ）に応じて、エネルギーはＡＯＭの０次または１次に対して供給される。これらの次数は、ＡＯＭから出力される、角度のある２つの異なるビームである。通常、１次ビームは対象領域に向かうビームであり、０次ビームはＡＯＭの直後に停止される。ＡＯＭドライバからの受信信号は最大（例えば、５Ｖ）の場合、パルス当たりの最大エネルギーは１次ビームである。ドライバ信号が最小の場合、１次ビームのエネルギーは０％であり、すべてが０次に送られる。
【００４３】
・ビーム成形ＩＩ（０３０５）は、ビームがＡＯＭを通過した後、ビームをシステムに適合させるために追加のビーム成形が必要である。例えば、対物レンズの開口数の使用を可能にするために、ビーム直径は、使用される対物レンズ（０３１１）に適合するように拡大されなければならない。
【００４４】
・診断（０３０６）システムは、パルス当たりのエネルギー、エネルギー安定性、及びレーザビームの温度を測定するために使用される。この機能は、システムを安全に繰り返し使用できるように含まれている。変数の１つが計画どおりに実行されていない場合、システムはシャットダウンする。
【００４５】
・レーザ顕微鏡カップリング（ミラーアーム）（０３０７）が、レーザビームをレーザ顕微鏡ヘッドに向けるために使用される。システムの設定およびレーザの向きに応じて、レーザ顕微鏡カップリングは、レーザビームを必要な位置に向けるために、１つまたは複数のミラーを含むことができる。
【００４６】
・カメラシステム（０３０８）は、サンプルをＸ−Ｙ方向に顕微鏡対物レンズに向けて位置決めするために使用される。さらに、カメラは、追跡目的のために使用することができる。適切なＺ位置が、ＯＣＴカメラを使用して、材料の曲率に応じて効果的に発見され得る。
【００４７】
・スキャナ（０３０９）は、レーザスポットをＸＹ面に分散させるために使用される。この目的のために異なるスキャナを使用することができる。スキャナのタイプに応じて、非処理領域はカバーされ得るが、その場合、パルス当たりのレーザエネルギーがないか、または処置領域のみがカバーされる。この目的のために、スキャナソフトウェアがスポットを位置決めし、ＡＯＭがそのスポットに対するパルス当たりのエネルギーを与えるので、ソフトウェア制御はＡＯＭも制御する。
【００４８】
・Ｚモジュール（０３１０）は、システム内に追加の合焦素子を可能にするために使用することができ、Ｚモジュール（０３１０）は、例えば、成形平面とは異なるＺ位置にある平面のトラッキング目的のために使用することができる。Ｚモジュール（０３１０）は、成形プロセス中にＺ位置を変更するためにも使用することができる。
【００４９】
・対物レンズ（０３１１）は、ビームをサンプルに合焦させ、スポットサイズを決定する。より大きなスポットサイズでは、パルス当たりのより大きなエネルギーが必要とされ、従って、Ｚモジュール（０３１０）は、レーザ源およびプロセスの必要な精度に適合させる必要がある。加えて、対物レンズの視野サイズが要求されるレンズより小さい場合、Ｚモジュール（０３１０）は、成形プロセスの視野サイズを提供し、これはレンズ成形のための追加のハードウェアを必要とする。
【００５０】
・対物レンズおよびサンプル間インタフェース（０３１２）は、用途によって異なる。散乱を減らし、かつ追加の冷却要素を可能にするためにサンプルと対物レンズとの間の空間が水で充填される。他の用途については、眼部ゲルのような他の媒体を用いた異なる接触方法を使用することができる。
【００５１】
・サンプル（０３１３）は、異なる光学媒体を含むことができ、例えば、対物レンズの前に配置される疎水性ポリマーとすることができる。用途に応じて、サンプルは、対物レンズおよびサンプル間のインタフェースの直後に存在するか、または眼球のようなものとの組み合わせの追加の媒体の内部に深く存在することとなる。
【００５２】
・位置決めシステム（０３１４）は、一層レンズまたは多層レンズを形成するためにレンズを位置決めするために、またはより大きな構造の成形を可能にするために対物レンズの視野サイズからなるブロックを位置決めするために使用することができる。位置決めシステム（０３１４）は、Ｘ、Ｙ、Ｚ方向にサンプルを移動するためにも使用することができる。
【００５３】
当業者であれば、特定の本発明の実施形態は、上述の構成要素の任意の組み合わせを含み得、ある状況では、全体のシステムの実施において上述の構成要素の１つまたは複数を省略し得ることを理解するであろう。
【００５４】
レンズ成形／形成方法（０４００）
本発明は、ＯＬＢ内に任意の複雑性のあるレンズを形成することができるレンズ成形／形成方法をも教示する。レンズ成形は、個別のパートから構成されている。最初に、選択した材料に応じてレンズの度数および曲率が計算される必要がある。ＡＯＭは、シャッタとして機能するとともに、セットアップにおける可変電力減衰器として機能して、（スキャナと組み合わせて）レンズ構造をポリマー内部に正確に成形することを可能にする。ＡＯＭは、照射領域の各領域（マイクロメータ）のレーザパワー情報を提供する、算出されたレンズ情報の入力画像によって制御される。その後、スキャナがパワーを正しい位置に供給し、顕微鏡対物レンズがパルスレーザビームをポリマー内部の所望の焦点スポットに合焦させる。ＯＬＢサンプルは、顕微鏡対物レンズの後のサンプルホルダ内に保持され、より大きなレンズ構造の成形を可能にするために固定ステージシステム上に任意選択的に配置される。ステージシステムは、顕微鏡対物レンズで終端するミラー型レーザアームで置き換えることもできる。
【００５５】
本発明の方法は、図４（０４００）に示されるように、このレンズ成形／形成方法の実施形態を組み込み得る。方法は、
（１）内部容器空間（ＩＣＶ：ｉｎｔｅｒｎａｌ  ｃｏｎｔａｉｎｅｒ  ｖｏｉｄ）を有する固定レンズ容器（ＳＬＣ：ｓｅｃｕｒｅｄ  ｌｅｎｓ  ｃｏｎｔａｉｎｅｒ）を製作するステップ（０４０１）と、
（２）レンズ構造（ＢＬＳ：ｂｌａｎｋ  ｌｅｎｓ  ｓｔｒｕｃｔｕｒｅ）およびレンズ支持部（ＢＬＨ：ｂｌａｎｋ  ｌｅｎｓ  ｈａｐｔｉｃｓ）を有する眼用レンズブランク（ＯＬＢ）を取得するステップ（０４０２）と、
（３）ＯＬＢをＩＣＶに挿入し、ＢＬＨを使用してＳＬＣに固定するステップ（０４０３）と、
（４）ＩＣＶ内のＯＬＢをレンズ充填材（ＬＦＭ）で少なくとも部分的に覆うステップ（０４０４）と、
（５）ＳＬＣを気密封止してＯＬＢとＬＦＭをＩＣＶに収容するステップ（０４０５）と、
（６）ＳＬＣ＋ＯＬＢ＋ＬＦＭを放射線法を用いて滅菌するステップ（０４０６）と、
（７）パルスレーザ放射（ＰＬＲ）を使用してＯＬＢをカスタマイズするステップ（０４０７）とを含む。
【００５６】
この全体的な方法は、本発明の範囲によって予期されるステップの再配列および／または追加／削除によって、多くの要因に応じて大幅に変更され得る。本発明の全体的な範囲によって、本明細書に記載した種々の好ましい例示的な実施形態のシステムと組み合わせた、この好ましい例示的な実施形態の方法および他の好ましい例示的な実施形態の方法の統合が予測される。この方法は、ＯＬＢ内の１つまたは複数の層に適用して、任意の複雑性を有する形成されたレンズ構造が達成され得る。
【００５７】
ＯＬＢのカスタマイズ方法（０５００）−（０７００）
本発明の方法は、実施の基本的なテーマにおける多様なバリエーションを予測するが、レンズのカスタマイズ方法として図５（０５００）〜図７（０７００）に示されるように概括することができる。レンズのカスタマイズ方法は、
（１）紫外線吸収剤（ＵＶＡ：ｕｌｔｒａｖｉｏｌｅｔ  ａｂｓｏｒｂｅｒ）を含む透明な眼用レンズブランク（ＯＬＢ）を使用するステップ（０５０１）と、ＯＬＢは、ブランクレンズ構造（ＢＬＳ：ｂｌａｎｋ  ｌｅｎｓ  ｓｔｒｕｃｔｕｒｅ）およびレンズ支持部（ＢＬＨ：ｂｌａｎｋ  ｌｅｎｓ  ｈａｐｔｉｃｓ）を含み、
（２）ＯＬＢを固定レンズ容器（ＳＬＣ）内に配置するステップ（０５０２）と、ＳＬＣは、内部容器空間（ＩＣＶ）を有する気密封止筐体（ＨＳＥ：ｈｅｒｍｅｔｉｃａｌｌｙ  ｓｅａｌｅｄ  ｅｎｃｌｏｓｕｒｅ）を含み、ＨＳＥは、ＨＳＥ底板（ＨＢＰ：ＨＳＥ  ｂｏｔｔｏｍ  ｐｌａｔｅ）とＨＳＥ上部カバー（ＨＴＣ：ＨＳＥ  ｔｏｐ  ｃｏｖｅｒ）とを含み、ＩＣＶは、ＯＬＢを格納するように構成された内部体積部を含み、ＯＬＢはＢＬＨを介してＩＣＶ内に保持されており、
（３）レンズ位置識別子（ＬＰＩ：ｌｅｎｓ  ｐｏｓｉｔｉｏｎ  ｉｄｅｎｔｉｆｉｅｒ）を使用して、ＳＬＣ内のＯＬＢの配向を規定するステップ（０５０３）と、
（４）ＩＣＶ内のＯＬＢをレンズ充填材（ＬＦＭ）で少なくとも部分的に覆うステップ（０５０４）と、
（５）ＬＦＭがＯＬＢの少なくとも一部を覆いつつ、ＯＬＢがＩＣＶ内に保持された後、ＨＳＥを気密封止するステップ（０６０５）と、
（６）ＬＦＭがＯＬＢの少なくとも一部を覆いつつ、ＯＬＢがＩＣＶ内に保持された後、ＨＳＥ内のＯＬＢを滅菌するステップ（０６０６）と、
（７）パルスレーザ放射（ＰＬＲ）出力を放出するためのフェムト秒レーザ放射源を含むパルスレーザ源（ＰＬＳ）を構成するステップ（０６０７）と、
（８）レーザステアリングスキャナ（ＬＳＳ：ｌａｓｅｒ  ｓｔｅｅｒｉｎｇ  ｓｃａｎｎｅｒ）を用いて集束顕微鏡対物レンズ（ＦＭＯ：ｆｏｃｕｓｉｎｇ  ｍｉｃｒｏｓｃｏｐｅ  ｏｂｊｅｃｔｉｖｅ）の入力領域に亘ってＰＬＲ出力を供給するステップ（０６０８）と、ＦＭＯは、ＦＭＯの入力領域に亘るＰＬＲ出力の供給を受け入れ、集束レーザ放射（ＦＬＲ：  ｆｏｃｕｓｅｄ  ｌａｓｅｒ  ｒａｄｉａｔｉｏｎ）出力を生成するように構成された開口数をさらに含み、
（９）ＦＭＯによるＦＬＲ出力をＨＴＣおよびＬＦＭを介してＯＬＢに伝送するステップ（０７０９）と、
（１０）ＬＰＩによって規定されたレンズ位置に基づいてＦＬＲ出力をＯＬＢに伝送するステップ（０７１０）と、
（１１）ＯＬＢのレンズ材料とのＦＬＲ出力の相互作用によりＯＬＢの内部領域の屈折率を変化させるステップ（０７１１）と、
（１２）ＦＬＲのＯＬＢへの適用によりＯＬＢの内部領域の屈折率を変化させた後、ＨＳＥを開封するステップ（０７１２）とを含む。
【００５８】
この全体的な方法は、本発明の範囲によって予期されるステップの再配列および／または追加／削除によって、多くの要因に応じて大幅に変更され得る。本発明の全体的な範囲によって、本明細書に記載した種々の好ましい例示的な実施形態のシステムと組み合わせた、この好ましい例示的な実施形態の方法および他の好ましい例示的な実施形態の方法の統合が予測される。本明細書に記載のこの方法および他の方法は、本明細書の別の箇所に記載されているように、コンピュータ可読媒体から命令を読み取るコンピュータシステムの制御下で最適に実行される。
【００５９】
レンズ計算方法（０８００）
本発明は、特定の患者用にカスタマイズされた内部ＯＬＢレンズ構造及びその固有の光学的要件を決定するための可変レーザ処理パラメータが使用されるレンズ計算方法を教示する。この方法は、概括的に、
・自覚屈折力をＩＯＬ平面度数に変換するステップと、
・形成されるべきレンズの三次元構造を計算するステップと、
・必要なレンズ深度を決定するステップと、
・レーザを介して処理されなければならないゾーンの数を算出するステップと、
・処理されるべき各ゾーンのゾーン半径を決定するステップと、
・レーザに関する位相ラッピングレンズデータファイル（ｐｈａｓｅ  ｗｒａｐｐｉｎｇ  ｌｅｎｓ  ｄａｔａ  ｆｉｌｅｓ）を作成するステップと、
・データファイルをＲＩＳマッピングシステムにロードするステップとを含む。
【００６０】
これらのステップについて、さらに詳細に説明する。
カスタム眼内レンズ（ＩＯＬ：ｉｎｔｒａｏｃｕｌａｒ  ｌｅｎｓ）に関するレンズパラメータを算出する前に、患者を検査しなければならず、患者の異なる既存の視覚収差が測定されなければならず、元のレンズの度数（球面／円柱）、非球面度（ａｓｐｈｅｒｉｃｉｔｙ）、光分布（ｉｇｈｔ  ｄｉｓｔｒｉｂｕｔｉｏｎ）、および光パターンおよび強度に対する必要な変化が決定される。
【００６１】
変化（「Ｃ」）を算出するために使用される基準算式を次に示す。
Ｃ＝Ｄｐｔ／（ｎ’−ｎ）            （１）
ここで、ｎは元のＩＯＬ材料の屈折率であり、ｎ’はＲＩＳ成形後の屈折率であり、従って、新たなレンズの屈折率である。
【００６２】
Ｃ＝１／ｒ                  （２）
曲率は、レンズ半径（ｒ）に関係し、半径は、レンズ直径２ｗLensおよびレンズ深度ｈLensを用いて算出することができる。
【００６３】
ｒ＝（ｈLens２＋ｗLens２）／２ｈLens          （３）
上記の計算は、任意の特定のレンズ材料の全ての補正に適用可能である。位相ラッピングレンズに関して必要な全ての情報は、元のレンズおよびその曲率の情報に既に存在する。作成されるレンズの深度は、屈折率変化量によって決定される。その後、各ゾーンの半径および各ゾーンの曲率情報が容易に算出される。
【００６４】
成形技術に応じて、レンズ直径は、対物レンズの視野サイズよりも大きくすることができ、その場合、ステージシステム（上記の通り）が、レンズ成形のために異なる領域を整列させるために使用される。この技術を可能にするために、入力画像または情報は、分離されたブロックに成形され、かつブロックシステムを表すためにそれらの画像サイズに切断される。
【００６５】
レンズの直径は、対物レンズの視野サイズ以下にすることができる。この場合、レンズをレイヤーで構築しない限り、ステージシステム（上記の通り）は必要とされない。このようにして、レンズは、ステージ無しで１つの層に形成することができ、ステージを用いて複数の層に形成することができ、又はサイズが視野を超える場合には、複数のブロック内に形成することができる。
【００６６】
上述され、図４（０４００、０４０１）に全体的に示されているレンズ計算方法は、多くの形態で実施され得るが、本発明の方法のいくつかの好ましい実施形態は、一つ又は複数の以下のステップを用いて、図８（０８００）に示されているように、この方法を実施してもよい。ステップは、
（１）所望の光学性能に関して必要なレンズ特性を測定または決定するステップ（０８０１）と、
（２）レンズ製造に適したレンズ材料を選択するステップ（０８０２）と、
（３）曲率を含む所望のレンズ寸法を計算するステップ（０８０３）と、
（４）所望のレンズ寸法を位相ラッピングされた寸法または位相ラッピング無しの寸法に変換するステップ（０８０４）（１つのレイヤーまたは複数のレイヤーのいずれか）と、
（５）所望の位相ラッピングレンズ特性に対応するパラメータ／出力ファイルおよび／または画像を作成するステップ（０８０５）と、
（６）レンズ処理領域が対物レンズの視野サイズよりも大きいか否かを判定するステップ（０８０６）と、大きくない場合はステップ（８）に移行し、
（７）出力画像を視野サイズ内に収まる複数のブロックに分割するステップ（０８０７）と、
（８）患者（またはレンズ形成）が追加のレンズ特性を必要とするかどうかを判断するステップ（０８０８）と、必要とする場合は、ステップ（１）に移行し、
（９）レンズ計算方法を終了するステップ（０８０９）とからなる。
【００６７】
この全体的な方法は、本発明の範囲によって予期されるステップの再配列および／または追加／削除によって、多くの要因に応じて大幅に変更され得る。本発明の全体的な範囲によって、本明細書に記載した種々の好ましい例示的な実施形態のシステムと組み合わせた、この好ましい例示的な実施形態の方法および他の好ましい例示的な実施形態の方法の統合が予測される。
【００６８】
この方法は、ＳＬＣによって維持／保持され、ステージング装置または位置決めテーブルによって空間的に操作されるレンズの形成に適用することができる。
典型的なＯＬＢのＩＯＬレンズ構造体（０９００）
図９（０９００）は、カスタマイズ前の典型的なＯＬＢのＩＯＬ構造体（０９１０）および本発明によって教示されるカスタマイズ後に生成される、後続のカスタマイズされた内部構造体を示す。例えば、内部凸レンズ（０９１１）、両凸レンズ（０９１２）、凹レンズ（０９１３）、両凹レンズ（０９１４）、位相ラップ（ｐｈａｓｅ  ｗｒａｐｐｅｄ）凸レンズ（０９１５）、位相ラップ両凸レンズ（０９１６）、位相ラップ凹レンズ（０９１７）、位相ラップ両凹レンズ（０９１８）、グラディエント位相ラップ（ｇｒａｄｉｅｎｔ  ｐｈａｓｅ  ｗｒａｐｐｅｄ）凸レンズ（０９１９）、グラディエント位相ラップ両凸レンズ（０９２０）、グラディエント位相ラップ凹レンズ（０９２１）、グラディエント位相ラップ両凹レンズ（０９２２）、グラディエント凸レンズ（０９２３）、グラディエント両凸レンズ（０９２４）、グラディエント凹レンズ（０９２５）、およびグラディエント両凹レンズ（０９２６）がある。ＯＬＢのＩＯＬ構造内に示される様々な内部構造体は、いくつかの適用状況において組み合わされてもよい。さらに、米国特許第９，０２３，２５７号に示されるような位相ラッピングレンズ構造を含むカスタムレンズ形成が本発明の教示を使用して形成され得るため、これらの事例に示される対称性は、いくつかの適用状況において存在し得ないことに留意されたい。さらに、異なるハードウェアおよびソフトウェアソリューションは、単一の層、複数の層、ブロック、またはそれらの組み合わせにおけるレンズの作成に影響を及ぼす可能性がある。異なるレンズタイプの組み合わせも可能であり、通常、レンズスタックと呼称される。
【００６９】
例示的なＳＬＣの実施形態の概要（１０００）−（１６００）
本発明で典型的に利用されるＳＬＣおよび対応するＯＬＢ構造の概要は、図１０（１０００）〜図１６（１６００）に詳細に示されている。
【００７０】
典型的な正方形ＳＬＣの実施形態を、図１０（１０００）〜図１６（１６００）に概括的に示す。図１０（１０００）に示されるように、レーザ放射がＳＬＣ（１００２、１１０２）内に収容されたＯＬＢに合焦されることを可能にするように、ベースプレート固定具（１００１、１１０１）が正方形ＳＬＣ（１００２、１１０２）を確実に保持していることが分かる。図１２（１２００）の組立図は、ＳＬＣ（１２１０）、ＯＬＢ（１２２０）、気密封止（１２３０）、およびレーザアクセスウィンドウ（１２４０）の詳細を示している。図１３（１３００）〜図１５（１５００）は、さまざまな段階の分解におけるＳＬＣを示している。この特定の実施形態では、気密封止（１２３０）は、ＳＬＣホルダの縁部の周りにまで延在し、かつレンズキャビティの流体充填後に設置されるレーザアクセスウィンドウ（１２４０）を介して、レンズキャビティが流体で充填されることを可能にすることに留意されたい。レーザアクセスウィンドウ（１２４０）は、レーザ放射に対して透過的であり、かつ１．０５から１．６５の範囲の低屈折率を有するように選択される。この特定の実施形態は、固定具の側面を介して支持部への直接的な水平アクセスを提供しており、これにより、一旦カスタマイズが完了し、気密封止（１２３０）が除去された後にＯＬＢを容易に除去することができる。
【００７１】
図１６（１６００）は、レンズキャビティおよび他の構造が固定具の全体の深さまで延在する代替的なＳＬＣホルダの様々な方向から見た図である。この構成では、カスタマイズプロセス中に容器の流体充填およびＯＬＢの浸漬が可能になるようにする、図示されたＳＬＣホルダを保持するための閉じ込め構造が設けられ得る。
【００７２】
例示的な正方形ＳＬＣの実施形態（１７００）−（４０００）
例示的な正方形ＳＬＣの実施形態が、概括的に図１７（１７００）〜図４０（４０００）に示される。図１７（１７００）に示されるように、レーザ放射がＳＬＣ（１７０２）内に収容されたＯＬＢに合焦されることを可能にするように、ベースプレート固定具（１７０１）が正方形ＳＬＣ（１７０２）を確実に保持していることが分かる。ベースプレート固定具（１７０１）と正方形ＳＬＣ（１７０２）との間の相互作用のさらなる詳細は、図１７（１７００）〜図２４（２４００）の観察により把握することができる。ＯＬＢが設置されたＳＬＣの詳細図は、図２５（２５００）〜図３２（３２００）に示されている。ＯＬＢがＳＬＣ内に保持されるキャビティは、カスタマイズプロセス中にＯＬＢへのレーザ放射の伝送に適しており、かつ患者に生体適合性のある流体で全体的に充填されている。この流体は、蒸留水および／または脱イオン水および／または生理食塩水を含み得るが、これらに限定されない。
【００７３】
例示的なＳＬＣおよびＯＬＢのさらなる詳細は、図３３（３３００）〜図４０（４０００）を観察することによって把握することができ、ここで、ＳＬＣ（３３１０）は、ＯＬＢ（３３２０）がベースプレート固定具（１７０１）に設置されたときに、レーザ照射のために適切に配向され、かつ固定されることを確実にするための、１つまたは複数のレンズ位置識別子（ＬＰＩ）（３３１１、３３１２）機構を有するように示されている。レンズキャビティ（３３１３）および対応する支持部リテーナ（３３１４、３３１５）が、ＯＬＢ（３３２０）のレンズ（３３２３）および対応するレンズ支持部（３３２４、３３２５）を固定するためにＳＬＣ内に設けられている。支持部リテーナ（３３１４、３３１５）の遠位端に位置する支持部アクセスポート（３３１６、３３１７）は、カスタマイズ処理の完了後、ピンセットまたは他の適切なツールを介してレンズ支持部（３３２４、３３２５）を使用してＳＬＣからレンズ（３３２０）を抽出することを可能にする。
【００７４】
封止蓋（３３４０）が、ＳＬＣ（３３１０）を封止し、組み立て後にＳＬＣ（３３１０）／ＯＬＢ（３３２０）の組み合わせが滅菌されるようにするために設けられる。この構成では、封止蓋（３３４０）は、ＯＬＢを覆う液体を通ってレーザ放射を伝送するように構成され得（３３２０）、または状況によっては、封止蓋（３３４０）は、カスタマイズの前に除去されてもよく、その場合、レーザ放射は、ＯＬＢ（３３２０）を覆う液体に直接当たり、次いでＯＬＢ（３３２０）に当たって、ＯＬＢ（３３２０）における屈折率変化に影響を与えて、カスタムレンズ構造を生成する。レーザ放射が封止蓋（３３４０）を通るように向けられる場合、封止蓋（３３４０）は、１．０５から１．６５の範囲の屈折率を有する材料で構成される。
【００７５】
例示的な長方形カートリッジＳＬＣの実施形態（４１００）−（６４００）
例示的な長方形カートリッジＳＬＣの実施形態は、図４１（４１００）〜図６４（６４００）に概括的に示される。図４１（４１００）に示されるように、レーザ放射がＳＬＣ（４１０２）内に収容されたＯＬＢに合焦されることを可能にするように、ベースプレート固定具（４１０１）が、長方形カートリッジＳＬＣ（４１０２）を確実に保持していることが分かる。ベースプレート固定具（４１０１）と正方形ＳＬＣ（４１０２）との間の相互作用のさらなる詳細は、図４１（４１００）〜図４８（４８００）の観察により把握することができる。ＯＬＢが設置されたＳＬＣの詳細図は、図４９（４９００）〜図５６（５６００）に示されている。ＯＬＢがＳＬＣ内に保持されるキャビティは、カスタマイズプロセス中にＯＬＢへのレーザ放射の伝送に適した流体で全体的に充填されている。この流体は、蒸留水および／または脱イオン水および／または生理食塩水を含み得るが、これらに限定されない。
【００７６】
例示的なＳＬＣおよびＯＬＢのさらなる詳細は、図５７（５７００）〜図６４（６４００）を観察ことによって把握することができ、ここで、ＳＬＣキャリア（５７１０）は、ＯＬＢ（５７２０）がベースプレート固定具（４１０１）に設置されたときに、レーザ照射のために適切に配向され、かつ固定されることを確実にするための、１つまたは複数のレンズ位置識別子（ＬＰＩ）（５７１１、５８１２）機構を有するように示されている。レンズ位置識別子（ＬＰＩ）（５７１１、５８１２）機構は、ＳＬＣキャリア（５７１０）のベースプレート固定具（４１０１）との規定された整列配向を可能にするために、ＳＬＣキャリア（５７１０）の両側に異なる幅のキー（５７１６、５７１７）を含み得る。レンズキャビティ（５７１３、６１１３）および対応する支持部リテーナ（６１１４、６１１５）が、ＯＬＢ（５７２０）のレンズ（５７２３）および対応するレンズ支持部（５７２４、５７２５）を固定するためにＳＬＣキャリア（５７１０）内に設けられている。スライド式保持カバー（５７３０）は、ＳＬＣキャリア（５７１０）のレンズキャビティ（５７１３）内にＯＬＢ（５７２０）を気密封止するためにＳＬＣキャリア（５７１０）と嵌合する。スライド式保持カバー（５７３０）における蟻継ぎ（５７３８、５７３９）または同等の固定機構が、スライド式保持カバー（５７３０）がＳＬＣキャリア（５７１０）の対応する凹部内に挿入されることで、スライド式保持カバー（５７３０）のＳＬＣキャリア（５７１０）に対する気密封止を保証する。レーザアクセスウィンドウ（５７３３）が、レーザ放射がカスタマイズのためにＯＬＢ（５７２０）に伝送されることを可能にするために設けられ得る。レーザ放射がスライド式保持カバー（５７３０）を通って方向付けられる場合、スライド式保持カバー（５７３０）は、１．０５から１．６５の範囲の屈折率を有する材料で構成される。
【００７７】
封止蓋（５７４０）が、ＳＬＣ（５７１０）を封止し、組み立て後にＳＬＣ（５７１０）／ＯＬＢ（５７２０）の組み合わせが滅菌されるようにするために設けられる。この封止蓋（５７４０）は、スライド式保持カバー（５７３０）及び／又はレーザアクセスウィンドウ（５７３３）のダストカバーとしての役割も果たし得る。この構成では、封止蓋（５７４０）は、ＯＬＢを覆う液体（５７２０）を通ってレーザ放射を伝送するように構成され得、または状況によっては、封止蓋（５７４０）は、カスタマイズの前に除去されてもよく、その場合、レーザ放射は、スライド式保持カバー（５７３０）に直接当たり、次いで、ＯＬＢ（５７２０）に当たって、ＯＬＢ（５７２０）における屈折率変化に影響を与えて、カスタムレンズ構造を生成する。レーザ放射が封止蓋（５７４０）を通るように向けられる場合、封止蓋（５７４０）は、１．０５から１．６５の範囲の屈折率を有する材料で構成される。
【００７８】
図４１（４１００）〜図４８（４８００）に全体的に示されているように、ＳＬＣがベースプレート固定具内でスライドする際に、ＳＬＣ内の対応する戻り止めと係合するベースプレート固定具内に位置決めされたバネ付きピンを使用することによって、ＳＬＣがベースプレート固定具内に確実に捕捉されかつ位置決めされ得る。図示された事例は、ＳＬＣの一端にテーパを付けた挿入を設けて、ＳＬＣとベースプレートとが、ＳＬＣをベースプレート・フレーム内にスライド式に挿入することによって共に結合されたときに、ＳＬＣとベースプレートとの確実な嵌合を可能にするように、嵌合ばね／ピンの組み合わせが十分に押し込まれることができることを保証することに留意されたい。
【００７９】
円筒形カートリッジＳＬＣの実施形態（６５００）−（９６００）
例示的な円筒形カートリッジＳＬＣの実施形態は、図６５（６５００）〜図９６（９６００）に概括的に示される。図６５（６５００）に示されるように、レーザ放射がＳＬＣ（６５０２）内に収容されたＯＬＢに合焦されることを可能にするように、ベースプレート固定具（６５０１）が、円筒形カートリッジＳＬＣ（６５０２）を確実に保持していることが分かる。ベースプレート固定具（６５０１）と正方形ＳＬＣ（６５０２）との間の相互作用のさらなる詳細は、図６５（６５００）〜図７２（７２００）の観察により把握することができる。ＯＬＢが設置されたＳＬＣの詳細図は、図７３（７３００）〜図８０（８０００）に示されている。ＯＬＢがＳＬＣ内に保持されるキャビティは、カスタマイズプロセス中にＯＬＢへのレーザ放射の伝送に適した流体で全体的に充填されている。この流体は、蒸留水および／または脱イオン水および／または生理食塩水を含み得るが、これらに限定されない。
【００８０】
例示的なＳＬＣおよびＯＬＢのさらなる詳細は、図８１（８１００）〜図８８（８８００）を観察することによって把握することができ、ここで、ＳＬＣキャリア（８１１０）は、ＯＬＢ（８１２０）がベースプレート固定具（６５０１）に設置されたときに、レーザ照射のために適切に配向され、かつ固定されることを確実にするための、１つまたは複数のレンズ位置識別子（ＬＰＩ）（８１１１、８２１２）機構を有するように示されている。レンズ位置識別子（ＬＰＩ）（８１１１、８２１２）機構は、ＳＬＣキャリア（８１１０）のベースプレート固定具（６５０１）とのＳＬＣキャリアの規定された整列配向を可能にするために、ＳＬＣキャリア（８１１０）の両側に異なる幅のキーを含み得る。レンズキャビティ（８５１３）および対応する支持部リテーナ（８５１４、８５１５）が、ＯＬＢ（８１２０）のレンズ（８１２３）および対応するレンズ支持部（８１２４、８１２５）を固定するためにＳＬＣキャリア（８１１０）内に設けられている。リテーナ封止キャップ（ＲＳＣ：ｒｅｔａｉｎｅｒ  ｓｅａｌｉｎｇ  ｃａｐ）（８１３０）は、ＳＬＣキャリア（８１１０）と係合して、ＳＬＣキャリア（８５１３）のレンズキャビティ（８１１０）内にＯＬＢ（８１２０）を気密封止する。
【００８１】
封止蓋（８１４０）が、ＳＬＣ（８１１０）を封止し、組み立て後にＳＬＣ（８１１０）／ＯＬＢ（８１２０）の組み合わせが滅菌されるようにするために設けられる。この封止蓋（８１４０）は、リテーナ封止キャップ（ＲＳＣ）（８１３０）用のダストカバーとしても機能する。この構成では、封止蓋（８１４０）は、ＯＬＢを覆う液体（８１２０）を通ってレーザ放射を伝送するように構成され得、または状況によっては、封止蓋（８１４０）は、カスタマイズの前に除去されてもよく、その場合、レーザ放射は、リテーナ封止キャップ（ＲＳＣ）（８１３０）に直接当たり、次いでＯＬＢ（８１２０）に当たって、ＯＬＢ（８１２０）における屈折率変化に影響を与えて、カスタムレンズ構造を生成する。レーザ放射が封止蓋（８１４０）を通るように向けられる場合、封止蓋（８１４０）は、１．０５から１．６５の範囲の屈折率を有する材料で構成される。
【００８２】
この構成は、次のように構成されたＳＬＣ筐体キャップ（ＳＥＣ：ＳＬＣ  ｅｎｃｌｏｓｕｒｅ  ｃａｐ）（８１５０）と共に構成され得る。ＳＬＣ筐体キャップ（ＳＥＣ）（８１５０）には、封止蓋（８１４０）を保護するためにＳＬＣ（８１１０）と係合するねじ山が装備され得る。ＯＬＢ（８１２０）がＳＬＣ（８１１０）に挿入されて流体で覆われると、リテーナ封止キャップ（ＲＳＣ）（８１３０）が左ねじでＳＬＣ（８１１０）に設置される。封止蓋（８１４０）が設置され、次に、ＳＬＣ筐体キャップ（ＳＥＣ）（８１５０）がＳＬＣ（８１１０）に設置されて、アセンブリ全体を保護する。次いで、アセンブリがユニットとして滅菌される。レンズカスタマイズプロセスの間、ＳＬＣ筐体キャップ（ＳＥＣ）（８１５０）および封止蓋（８１４０）は取り外され、レーザ放射は、リテーナ封止キャップ（ＲＳＣ）（８１３０）および流体が充填されたレンズチャンバを通って導かれて、ＯＬＢ（８１２０）の屈折率を補正する。レンズのカスタマイズが完了した後、ＳＬＣ筐体キャップ（ＳＥＣ）（８１５０）の遠位右ねじ端（８１５１）が、通常の右手挿入を使用してリテーナ封止キャップ（ＲＳＣ）（８１３０）に挿入される。ＳＬＣ筐体キャップ（ＳＥＣ）（８１５０）の遠位端（８１５１）がリテーナ封止キャップ（ＲＳＣ）（８１３０）内の底部に達すると、封止キャップ（８１３０）とＳＬＣ（８１１０）との間の左ねじ山が緩み、封止キャップ（８１３０）をＳＬＣから取り外すことができる（８１１０）。この時点、またはその後の任意の時点で、カスタマイズされたＯＬＢ／ＩＯＬ（８１２０）がＳＬＣから取り出されて、患者挿入のために提示／準備され得る。移植は、少なくとも２４時間遅らせることが好ましい。
【００８３】
なお、リテーナ封止キャップ（ＲＳＣ）（８１３０）と共にＳＬＣ筐体キャップ（ＳＥＣ）８１５０）を使用することにより、リテーナ封止キャップ（ＲＳＣ）（８１３０）は、ＳＬＣ筐体キャップ（ＳＥＣ）（８１５０）の遠位端（８１５１）を使用してＳＬＣ（８１１０）から取り外されることができるが、ＳＬＣ筐体キャップ（ＳＥＣ）（８１５０）を使用してＳＬＣ（８１１０）上に再度設置されない。これは、リテーナ封止キャップ（ＲＳＣ）（８１３０）とＳＬＣ（８１１０）との間の気密封止が、システムの組み立てが完了し、ユニット全体が滅菌された後にのみ開封されたという不正開封防止の検証として機能する。図８９（８９００）〜図９２（９２００）に示されるように、リテーナ封止キャップ（ＲＳＣ）（８１３０）は、その内底部に六角ボスを組み込み得、六角ボスは、ＳＬＣ（８１１０）／リテーナ封止キャップ（ＲＳＣ）（８１３０）の界面の左ねじを使用して、ＳＬＣ（８１１０）へのリテーナ封止キャップ（ＲＳＣ）（８１３０）の初期アセンブリのために六角キーレンチとともに使用するのに適している。
【００８４】
カスタマイズされた光学的補正
本発明は、カスタマイズされた眼内レンズ（ＩＯＬ）を製造するためのＯＬＢのカスタマイズが、度数、球面、円柱、非球面度、および／または多焦点性を含むがこれらに限定されない光学的収差を全て個々の患者の光学的要件に対する要件に従って含み得ることが見込まれる。
【００８５】
患者処方測定
多種多様な患者要求測定技術が、ＯＬＢからカスタムＩＯＬを生成するためのパラメータを決定するために使用され得る。
【００８６】
ＯＬＢの度数範囲
未補正ＯＬＢの度数は、多くの好ましい実施形態では５から３５の範囲にあると予測され、１０、２０、および３０は、多くの適用状況におけるカスタマイズの最適な開始点であると考えられる。多くのＯＬＢ構成は、最小限のＵＶ吸収剤で注入され、追加のＵＶ吸収剤は、レーザ放射に関して高い反応容量を必要とするレンズに含まれる。
【００８７】
典型的なＯＬＢの大きさ
ＯＬＢはＳＬＣ内に保持され、ＳＬＣは滅菌された密閉容器を備える。ＯＬＢレンズは、典型的には、直径が６ｍｍであり、深度が約５００μｍ以上である。レンズ支持部のサイズは様々であるが、ＳＬＣ閉じ込め構造は、典型的には、直径約６ｍｍ、高さ１ｍｍ〜２ｍｍである。ＳＬＣカバーは、レーザ放射に対して透過的であり、１．０５と１．６５との間の屈折率を有する。
【００８８】
ＯＬＢのカスタマイズの任意選択
本発明は、医師のオフィスの状況で、通常はレンズのカスタマイズに関連する通常の実験室製造プロセスの外部で、度数（球面および円柱）調整、非球面度、および光分布の調整を含むが、これらに限定されないカスタマイズされたレンズの補正を提供する。多焦点カスタマイズは、回折または屈折として構成され得る。多焦点の光分割は、医師によって選択されたように構成することができる。多種多様な光の分割が可能である。屈折性又は回折性の多焦点特性、カスタム光分割、カスタマイズされた非球面度、及び／又は度数、非球面度及び／又は光分布のカスタマイズされた組合せを作り出す本発明の技能は、度数、非球面度及び光分布の組合せをカスタマイズすることができない従来技術のレンズ製造業者とは対照的である。
【００８９】
ＯＬＢインデックス／方向
本発明の教示において提供される一体化されたＳＬＣは、レーザ照射によるレンズのカスタマイズ中のＯＬＢの安定化を提供するが、カスタマイズプロセス中のＯＬＢの適切なインデックス付け及び配向も提供する。ＯＬＢは１つまたは複数の対称軸を有し得るため、カスタマイズのプロセス中のＯＬＢの適切な配向は、レンズが患者において測定される任意の非対称性に従って適切に構成されることを確実にするために重要である。
【００９０】
滅菌
本発明は、カスタマイズされたＯＬＢが被移植患者に設置されたときに感染性内容物を含まないことを確実にするために、パッケージ化されたＳＬＣ＋ＯＬＢの組み合わせがガンマ線または同等の有効性のある手段の使用によって滅菌されることが見込まれる。
【００９１】
処理時間のカスタマイズ
眼用レンズのカスタマイズのための時間は、適用状況に応じて変化し得るが、典型的な処理時間は、１０秒から１０分（ドッキング時間を含む）の範囲である。
【００９２】
システムの概要
本発明のシステムは、眼用レンズカスタマイズシステムとして広く一般化することができる。システムは、
（ａ）眼用レンズブランク（ＯＬＢ）と、
（ｂ）固定レンズ容器（ＳＬＣ）と、
（ｃ）レンズ位置識別子（ＬＰＩ）と、
（ｄ）パルスレーザ源（ＰＬＳ）と、
（ｅ）レーザステアリングスキャナ（ＬＳＳ）と、
（ｆ）集束顕微鏡対物レンズ（ＦＭＯ）とを含み、
ＯＬＢは、紫外線吸収剤（ＵＶＡ）を含む透明な材料からなり、
ＯＬＢはブランクレンズ構造（ＢＬＳ）およびレンズ支持部（ＢＬＨ）で構成され、
ＳＬＣは、内部容器空間（ＩＣＶ）を有する気密封止筐体（ＨＳＥ）を含み、
ＨＳＥは、ＨＳＥ底板（ＨＢＰ）およびＨＳＥ上部カバー（ＨＴＣ）を含み、
ＩＣＶは、ＯＬＢを格納するように構成された内部体積部を含み、
ＯＬＢは、ＢＬＨを介してＩＣＶ内に保持され、
ＬＰＩは、ＳＬＣ内のＯＬＢの配向を規定するように構成され、
ＯＬＢは、レンズ充填材（ＬＦＭ）でＩＣＶ内に少なくとも部分的に覆われており、
ＬＦＭがＯＬＢの少なくとも一部を覆いつつ、ＯＬＢがＩＣＶ内に保持された後、ＨＳＥは、気密封止されるように構成され、
ＰＬＳは、パルスレーザ放射（ＰＬＲ）出力を放出するように構成されたフェムト秒レーザ放射源を含み、
ＬＳＳは、ＦＭＯの入力領域に亘るＰＬＲ出力を供給するように構成され、
ＦＭＯは、ＦＭＯの入力領域に亘るＰＬＲ出力の供給を受け入れ、集束レーザ放射（ＦＬＲ）出力を生成するように構成された開口数をさらに含み、
ＦＬＲ出力は、ＨＴＣおよびＬＦＭを介してＦＭＯからＯＬＢに伝送され、
ＦＬＲ出力が、ＬＰＩによって規定されたレンズ位置に基づいてＯＬＢに伝送され、
ＦＬＲ出力は、ＯＬＢ内のＵＶＡと相互作用して、ＯＬＢの内部領域の屈折率を変化させ、
ＨＳＥは、ＯＬＢにＦＬＲを適用してＯＬＢの内部領域の屈折率を変化させた後に開封されるように構成されている。
【００９３】
この概括的なシステム概要は、本明細書に記載される様々な要素によって拡張されて、この全体的な設計の説明と一致する多種多様な本発明の実施形態を生成し得る。
方法の概要
本発明の方法は、眼用レンズのカスタマイズ方法として広く一般化し得る。方法は、
（１）紫外線吸収剤（ＵＶＡ）を含む透明な眼用レンズブランク（ＯＬＢ）を使用するステップと、ＯＬＢは、ブランクレンズ構造（ＢＬＳ）およびレンズ支持部（ＢＬＨ）を含み、
（２）ＯＬＢを固定レンズ容器（ＳＬＣ）内に配置するステップと、ＳＬＣは、内部容器空間（ＩＣＶ）を有する気密封止筐体（ＨＳＥ）を含み、ＨＳＥは、ＨＳＥ底板（ＨＢＰ）とＨＳＥ上部カバー（ＨＴＣ）とを含み、ＩＣＶは、ＯＬＢを格納するように構成された内部体積部を含み、ＯＬＢは、ＢＬＨを介してＩＣＶ内に保持されており、
（３）レンズ位置識別子（ＬＰＩ）を使用してＳＬＣ内のＯＬＢの配向を規定するステップと、
（４）ＩＣＶ内のＯＬＢをレンズ充填材（ＬＦＭ）で少なくとも部分的に覆うステップと、
（５）ＬＦＭがＯＬＢの少なくとも一部を覆いつつ、ＯＬＢがＩＣＶ内に保持された後、ＨＳＥを気密封止するステップと、
（６）ＬＦＭがＯＬＢの少なくとも一部を覆いつつ、ＯＬＢがＩＣＶ内に保持された後、ＨＳＥ内のＯＬＢを滅菌するステップと、
（７）パルスレーザ放射（ＰＬＲ）出力を放出するためのフェムト秒レーザ放射源を含むパルスレーザ源（ＰＬＳ）を構成するステップと、
（８）レーザステアリングスキャナ（ＬＳＳ）を用いて集束顕微鏡対物レンズ（ＦＭＯ）の入力領域に亘ってＰＬＲ出力を供給するステップと、ＦＭＯは、ＦＭＯの入力領域に亘るＰＬＲ出力の供給を受け入れ、集束レーザ放射（ＦＬＲ）出力を生成するように構成された開口数をさらに含み、
（９）ＦＭＯによるＦＬＲ出力をＨＴＣおよびＬＦＭを介してＯＬＢに伝送するステップと、
（１０）ＬＰＩによって規定されたレンズ位置に基づいてＦＬＲ出力をＯＬＢに伝送するステップと、
（１１）ＯＬＢ内のＵＶＡとのＦＬＲ出力の相互作用によりＯＬＢの内部領域の屈折率を変化させるステップと、
（１２）ＦＬＲのＯＬＢへの適用によりＯＬＢの内部領域の屈折率を変化させた後、ＨＳＥを開封するステップとを含む。
【００９４】
この全体的な方法は、本発明の範囲によって予期されるステップの再配列および／または追加／削除によって、多くの要因に応じて大幅に変更され得る。本発明の全体的な範囲によって、本明細書に記載した種々の好ましい例示的な実施形態のシステムと組み合わせた、この好ましい例示的な実施形態の方法および他の好ましい例示的な実施形態の方法の統合が予測される。
【００９５】
システム／方法／プロダクト・バイ・プロセスのバリエーション
本発明は、構造の基本的なテーマにおける多種多様なバリエーションを予期する。前述の例は、使用可能な範囲全体を表しているわけではない。それらは、ほとんど無限の可能性のいくつかを引用するように意図されている。
【００９６】
この基本的なシステム、方法、およびプロダクト・バイ・プロセスは、以下の実施形態を含むがこれらに限定されない種々の補助的な実施形態によって拡張され得る。
・ＯＬＢがアクリル、シリコン、ポリ（メタクリル酸メチル）（ＰＭＭＡ）、およびＰＭＮＡ樹脂からなる群から選択される材料を含む実施形態。
【００９７】
・ＯＬＢが既知の材料および度数（ＯＫＤ）を有する眼用レンズを含む実施形態。
・ＳＬＣが１．０５から１．６５の範囲の屈折率を有する材料を含む実施形態。
・ＨＢＰが透明材料または着色材料を含む実施形態。
【００９８】
・ＨＴＣが紫外線（ＵＶ）放射に対して透過的な材料を含む実施形態。
・ＬＦＭが蒸留水、脱イオン水、および生理食塩水からなる群から選択される流体を含む実施形態。
【００９９】
・ＰＬＲ出力が０．００１マイクロジュールから１５．０マイクロジュールの範囲のエネルギーを有する実施形態。
・ＰＬＲ出力が０．１ＭＨｚから１００ＭＨｚの範囲の繰返し率を有する実施形態。
【０１００】
・ＰＬＲ出力が１０フェムト秒から９５０フェムト秒の範囲のパルス幅を有する実施形態。
・ＦＬＲ出力が１．０マイクロメートルから２０．０マイクロメートルの範囲のＸ−Ｙ方向のスポットサイズを有する実施形態。
【０１０１】
・ＦＬＲ出力が０．５３０ナノメートルから２００．０ナノメートルの範囲のＺ方向のスポットサイズを有する実施形態。
・ＬＳＳがＦＬＲ出力をＯＬＢ内に二次元パターンで供給するように構成される実施形態。
【０１０２】
・ＬＳＳがＦＬＲ出力をＯＬＢ内に三次元パターンで供給するように構成される実施形態。
・ＬＳＳがＦＬＲ出力をＯＬＢ内に三次元パターンで供給するように構成され、パターンがＯＬＢ内に凸レンズを形成する実施形態。
【０１０３】
・ＬＳＳがＦＬＲ出力をＯＬＢ内に３次元パターンで供給するように構成され、パターンがＯＬＢ内に両凸レンズを形成する実施形態。
・ＬＳＳがＦＬＲ出力をＯＬＢ内に三次元パターンで供給するように構成され、パターンがＯＬＢ内に凹レンズを形成する実施形態。
【０１０４】
・ＬＳＳがＦＬＲ出力をＯＬＢ内に三次元パターンで供給するように構成され、パターンがＯＬＢ内に両凹レンズを形成する実施形態。
・ＯＬＢが架橋ポリマー共重合体（ｃｒｏｓｓｌｉｎｋｅｄ  ｐｏｌｙｍｅｒｉｃ  ｃｏｐｏｌｙｍｅｒ）を含む実施形態。
【０１０５】
・ＯＬＢが架橋ポリマーアクリル重合体（ｃｒｏｓｓｌｉｎｋｅｄ  ｐｏｌｙｍｅｒｉｃ  ａｃｒｙｌｉｃ  ｐｏｌｙｍｅｒ）を含む実施形態。
・ＰＬＳが音響光学変調器（ＡＯＭ）およびグレースケール音響光学変調器（ＡＯＭ）からなる群から選択される光学変調器をさらに含む実施形態。
【０１０６】
・ＬＳＳが、ＦＬＲ出力をＯＬＢ内に二次元パターンまたは三次元パターンで供給するように構成され、集束レーザ放射が二次元パターンまたは三次元パターンに関連する体積部内に親水性の変化を生じさせ、親水性の変化によって二次元パターンまたは三次元パターンに関連する体積部の屈折率における対応する三次元的な変化が生じる実施形態。
【０１０７】
・親水性の変化がＯＬＢ内の屈折率変化をもたらす実施形態。
・屈折率変化が０．００１より大きい実施形態。
・二次元パターンまたは三次元パターンがＯＬＢ内の複数の層を含む実施形態。
【０１０８】
当業者は、他の実施形態が、上述の発明の説明および上述の様々な実施形態で教示される要素の任意の組み合わせに基づいて可能であることを認識するであろう。
汎用コンピュータが利用可能な媒体
様々な代替実施形態では、本発明は、コンピュータ化されたコンピューティングシステムとともに使用するためのコンピュータプログラム製品として実施することができる。当業者であれば、本発明によって定義される機能を定義するプログラムは、任意の適切なプログラミング言語で記述することができ、かつ（ａ）書き込み不可能な記憶媒体（例えば、ＲＯＭまたはＣＤ−ＲＯＭディスクのようなリードオンリーメモリデバイス）に永久的に記憶される情報、（ｂ）書き込み可能なストレージ媒体（例えば、フロッピーディスク（登録商標）およびハードディスクドライブ）に変更可能に格納される情報、および／または（ｃ）ローカルエリアネットワーク、電話ネットワーク、またはインターネットなどのパブリックネットワークなどの通信媒体を介してコンピュータに伝達される情報（これらに限定されない）を含んで、多くの形態でコンピュータに供給することができることを容易に理解するであろう。本発明の方法を実施するコンピュータ可読命令を搬送する場合、そのようなコンピュータ可読媒体は本発明の代替実施形態を表す。
【０１０９】
ここに概括的に示されるように、本発明のシステム実施形態は、コンピュータが利用可能な媒体を含む様々なコンピュータ可読媒体を組み込むことができ、コンピュータが利用可能な媒体は、媒体に具現化されたコンピュータ可読コード手段を有する。当業者であれば、本明細書に記載された様々なプロセスに関連するソフトウェアは、そのソフトウェアがロードされ起動される様々なコンピュータアクセス可能媒体に具現化することができることを理解するであろう。ボーリガード（Ｂｅａｕｒｅｇａｒｄ）に関する３５ＵＳＰＱ２ｄ１３８３（米国特許第５，７１０，５７８号）に従い、本発明は、本発明の範囲内にあるこのタイプのコンピュータ可読媒体を予期し、かつ含む。ヌイテン（Ｎｕｉｊｔｅｎ）に関する５００Ｆ．３ｄ１３４６（Ｆｅｄ．Ｃｉｒ．２００７）（米国特許出願番号第０９／２１１，９２８号）に従い、本発明の範囲は、コンピュータ読み取り可能な媒体に限定され、その媒体は有形でありかつ一時的ではない。
【０１１０】
まとめ
局所的に視野測定された患者の特性に基づいて、既知の度数（ＯＫＤ）を有する汎用眼用レンズブランク（ＯＬＢ）または眼用レンズの個別化された生体外でのカスタマイズを可能にするシステム／方法が開示されている。ＯＬＢは、紫外線（ＵＶ）吸収化合物が注入された透過的な材料からなる。ＯＬＢは、パルスレーザ放射（ＰＬＲ）の使用を介して屈折率を変更することにより、カスタマイズされた空間的補正（ＣＳＭ）に対応するように患者ごとにカスタマイズされる。屈折率のＣＳＭは、（ｉ）任意の他の手段によっても製造することができないレンズを生成し、かつ／または、（ｉｉ）患者のためにカスタマイズされた眼内レンズ（ＩＯＬ）の遠隔実験室での製作の必要性を排除する。ＯＬＢは、ＯＬＢへのＰＬＲの適用に関してＯＬＢ支持部およびＯＬＢレンズ構造の正確な物理的配向を提供するために、固定レンズ容器（ＳＬＣ）内に保持される。ＳＬＣは、ＯＬＢを覆うレンズ充填材（ＬＦＭ）を含み、かつＯＬＢがＳＬＣ内部に配置された後、ＳＬＣ＋ＯＬＢの組み合わせの滅菌前に気密封止される。
【０１１１】
特許請求の範囲の解釈
以下の規則は、本発明の特許請求の範囲を解釈する際に適用される。
・請求項の前提部分は、請求項に係る発明の範囲を限定するものと解すべきである。
【０１１２】
・「ここで（ＷＨＥＲＥＩＮ）」節は、請求項に係る発明の範囲を限定するものと解すべきである。
・「これにより（ＷＨＥＲＥＢＹ）」節は、請求項に係る発明の範囲を限定するものと解すべきである。
【０１１３】
・「に適合されている（ＡＤＡＰＴＥＤ  ＴＯ）」節は、請求項に係る発明の範囲を限定するものと解すべきである。
・「用に適合されている（ＡＤＡＰＴＥＤ  ＦＯＲ）」節は、請求項に係る発明の範囲を限定するものと解すべきである。
【０１１４】
・「手段（ＭＥＡＮＳ）」という用語は、３５Ｕ．Ｓ．Ｃ．§１１２（ｆ）に記載されている機能付手段（ｍｅａｎｓ−ｐｌｕｓ−ｆｕｎｃｔｉｏｎ）の請求項の限定を具体的に援用するものであり、当該請求項は、明細書及びその均等物に記載されている対応する構造、材料又は動作を包含するものと解釈される。
【０１１５】
・「用の手段（ＭＥＡＮＳ  ＦＯＲ）」という句は、３５Ｕ．Ｓ．Ｃ．§１１２（ｆ）に記載されている機能付手段の限定を具体的に援用するものであり、当該請求項は、明細書及びその均等物に記載されている対応する構造、材料又は動作を包含するものと解釈される。
【０１１６】
・語句「用のステップ」という句は、３５Ｕ．Ｓ．Ｃ．§１１２（ｆ）に記載されている機能付ステップ（ｓｔｅｐ−ｐｌｕｓ−ｆｕｎｃｔｉｏｎ）の請求項の限定を具体的に援用するものであり、当該請求項は、明細書及びその均等物に記載されている対応する構造、材料又は動作を包含するものと解釈される。
【０１１７】
・３５Ｕ．Ｓ．Ｃ．§１１２（ｆ）に記載されている機能付ステップの請求項の限定は、明細書及びその均等物に記載されている対応する構造，材料又は動作を、「用の手段」、「手段」、又は「用のステップ」の句を含むそのような請求項に対してのみ包含ものと解釈される。
【０１１８】
・「Ｘおよび／またはＹ」という表現の文脈における語句「および／または」の句は、エクス・パルテ・グロス（Ｅｘ  Ｐａｒｔｅ  Ｇｒｏｓｓ）（米国特許商標庁特許審判部、審判番号２０１１−００４８１１、特許出願番号第１１／５６５，４１１号）（「および／または」は、要素Ａのみ、要素Ｂのみ、または要素ＡおよびＢを一緒にしたものを有する実施形態を包含する）によって解釈されたように、集合「（ＸまたはＹ）」を有する「（ＸおよびＹ）」の和集合を定義するものとして解釈されるべきである。
【０１１９】
・本明細書に提示する特許請求の範囲は、抽象的な考えを優先しないような十分に狭い範囲を有する、本明細書に提示される明細書および図面に照らして解釈されるべきものである。
【０１２０】
・本明細書に提示された特許請求の範囲は、あらゆるアイデアの適用を排除しないように十分に狭い範囲を有する、本明細書に提示された明細書および図面に照らして解釈されるべきものである。
【０１２１】
・本明細書に提示された請求の範囲は、完全に人間の思想において実施され得るあらゆる基本的な精神的プロセスを排除するような十分に狭い範囲を有する、本明細書に提示された明細書および図面に照らして解釈されるべきものである。
【０１２２】
・本明細書に提示された特許請求の範囲は、人間の手作業によって完全に実施され得る任意のプロセスを排除するような十分に狭い範囲を有する、本明細書に提示された明細書および図面に照らして解釈されるべきものである。
【０１２３】
特許請求の範囲
本発明の好ましい実施形態を添付図面に示し、前述の詳細な説明で説明したが、本発明は開示された実施形態に限定されず、添付の特許請求の範囲に記載され定義された本発明の技術思想から逸脱することなく、多くの再構成、変形、および置換が可能であることが理解されよう。
【図１】
0006713673.tif 000002
【図２】
0006713673.tif 000003
【図３】
0006713673.tif 000004
【図４】
0006713673.tif 000005
【図５】
0006713673.tif 000006
【図６】
0006713673.tif 000007
【図７】
0006713673.tif 000008
【図８】
0006713673.tif 000009
【図９】
0006713673.tif 000010
【図１０】
0006713673.tif 000011
【図１１】
0006713673.tif 000012
【図１２】
0006713673.tif 000013
【図１３】
0006713673.tif 000014
【図１４】
0006713673.tif 000015
【図１５】
0006713673.tif 000016
【図１６】
0006713673.tif 000017
【図１７】
0006713673.tif 000018
【図１８】
0006713673.tif 000019
【図１９】
0006713673.tif 000020
【図２０】
0006713673.tif 000021
【図２１】
0006713673.tif 000022
【図２２】
0006713673.tif 000023
【図２３】
0006713673.tif 000024
【図２４】
0006713673.tif 000025
【図２５】
0006713673.tif 000026
【図２６】
0006713673.tif 000027
【図２７】
0006713673.tif 000028
【図２８】
0006713673.tif 000029
【図２９】
0006713673.tif 000030
【図３０】
0006713673.tif 000031
【図３１】
0006713673.tif 000032
【図３２】
0006713673.tif 000033
【図３３】
0006713673.tif 000034
【図３４】
0006713673.tif 000035
【図３５】
0006713673.tif 000036
【図３６】
0006713673.tif 000037
【図３７】
0006713673.tif 000038
【図３８】
0006713673.tif 000039
【図３９】
0006713673.tif 000040
【図４０】
0006713673.tif 000041
【図４１】
0006713673.tif 000042
【図４２】
0006713673.tif 000043
【図４３】
0006713673.tif 000044
【図４４】
0006713673.tif 000045
【図４５】
0006713673.tif 000046
【図４６】
0006713673.tif 000047
【図４７】
0006713673.tif 000048
【図４８】
0006713673.tif 000049
【図４９】
0006713673.tif 000050
【図５０】
0006713673.tif 000051
【図５１】
0006713673.tif 000052
【図５２】
0006713673.tif 000053
【図５３】
0006713673.tif 000054
【図５４】
0006713673.tif 000055
【図５５】
0006713673.tif 000056
【図５６】
0006713673.tif 000057
【図５７】
0006713673.tif 000058
【図５８】
0006713673.tif 000059
【図５９】
0006713673.tif 000060
【図６０】
0006713673.tif 000061
【図６１】
0006713673.tif 000062
【図６２】
0006713673.tif 000063
【図６３】
0006713673.tif 000064
【図６４】
0006713673.tif 000065
【図６５】
0006713673.tif 000066
【図６６】
0006713673.tif 000067
【図６７】
0006713673.tif 000068
【図６８】
0006713673.tif 000069
【図６９】
0006713673.tif 000070
【図７０】
0006713673.tif 000071
【図７１】
0006713673.tif 000072
【図７２】
0006713673.tif 000073
【図７３】
0006713673.tif 000074
【図７４】
0006713673.tif 000075
【図７５】
0006713673.tif 000076
【図７６】
0006713673.tif 000077
【図７７】
0006713673.tif 000078
【図７８】
0006713673.tif 000079
【図７９】
0006713673.tif 000080
【図８０】
0006713673.tif 000081
【図８１】
0006713673.tif 000082
【図８２】
0006713673.tif 000083
【図８３】
0006713673.tif 000084
【図８４】
0006713673.tif 000085
【図８５】
0006713673.tif 000086
【図８６】
0006713673.tif 000087
【図８７】
0006713673.tif 000088
【図８８】
0006713673.tif 000089
【図８９】
0006713673.tif 000090
【図９０】
0006713673.tif 000091
【図９１】
0006713673.tif 000092
【図９２】
0006713673.tif 000093
【図９３】
0006713673.tif 000094
【図９４】
0006713673.tif 000095
【図９５】
0006713673.tif 000096
【図９６】
0006713673.tif 000097